(57)【要約】  いくつかの例証的実施形態は、複数のデバイス、インターネットプロトコル（ＩＰ）セッション連続性を選択的に提供する複数のシステムを含む。一例において、モバイルデバイスは、無線ネットワークを用いて通信するための無線機と、通信セッションをセットアップするべく、セッションセットアップリクエストを送信し、そのセッションセットアップリクエストに応答してセッションセットアップ応答を受信するための無線機と、通信セッションに対してＩＰセッション連続性が維持されるべきである場合、第１のＩＰアドレスを通信セッションに対して使用することを選択し、通信セッションに対してＩＰセッション連続性が維持されるべきでない場合、第２のＩＰアドレスを通信セッションに対して使用することを選択するためのコントローラとを備えてよく、セッションセットアップ応答は、通信セッションに割り当てられた第１のインターネットプロトコル（ＩＰ）アドレス及び第２のＩＰアドレス、及び第１のＩＰアドレスがＩＰセッション連続性を維持するように構成されているという指示を含んでよい。
2016530754.tif 000002
【特許請求の範囲】
【請求項１】
無線ネットワークを用いて通信する無線機と、通信セッションをセットアップするべく、セッションセットアップリクエストを送信し、且つ前記セッションセットアップリクエストに応答して、前記通信セッションに割り当てられた第１のインターネットプロトコル（ＩＰ）アドレス及び第２のＩＰアドレス、及び前記第１のＩＰアドレスがＩＰセッション連続性を維持するという指示を有する、セッションセットアップ応答を受信する無線機と、前記通信セッションに対してＩＰセッション連続性が維持されるべきである場合、前記第１のＩＰアドレスを前記通信セッションに対して使用することを選択し、前記通信セッションに対してＩＰセッション連続性が維持されるべきでない場合、前記第２のＩＰアドレスを前記通信セッションに対して使用することを選択するコントローラと、を備える、モバイルデバイス。
【請求項２】
前記コントローラは、前記通信セッションの間に通信されるトラフィックの１または複数の属性に基づいて前記第１のＩＰアドレスと前記第２のＩＰアドレスとの間で選択する、請求項１に記載のモバイルデバイス。
【請求項３】
前記コントローラは、前記通信セッションを使用するためのアプリケーションの種類に基づいて前記第１のＩＰアドレスと前記第２のＩＰアドレスとの間で選択する、請求項１に記載のモバイルデバイス。
【請求項４】
ユーザ機器（ＵＥ）であって、前記無線機は、第１メッセージを介して、前記セッションセットアップリクエストを進化型ノードＢ（ｅＮＢ）に送信し、第２メッセージを介して、前記ｅＮＢから前記セッションセットアップ応答を受信する、請求項１に記載のモバイルデバイス。
【請求項５】
前記第１のＩＰアドレスは第１パケットデータネットワーク（ＰＤＮ）接続のアドレスを備え、前記第２のＩＰアドレスは、第２ＰＤＮ接続のアドレスを備える、請求項１から４のいずれか一項に記載のモバイルデバイス。
【請求項６】
前記第１ＰＤＮ接続は第１ゲートウェイ（ＧＷ）で終了し、前記第２ＰＤＮ接続は第２ＧＷで終了する、請求項５に記載のモバイルデバイス。
【請求項７】
前記第１ＧＷはＰＤＮＧＷ（ＰＧＷ）を備え、前記第２ＧＷは、ローカルＧＷ（ＬＧＷ）を備える、請求項６に記載のモバイルデバイス。
【請求項８】
前記セッションセットアップリクエストは、ＰＤＮ接続リクエストを備え、前記セッションセットアップ応答は、ＰＤＮ接続応答を備える、請求項５に記載のモバイルデバイス。
【請求項９】
１または複数のアンテナと、
プロセッサと、
メモリと、
入力部と、
出力部と、を備える、請求項１から４のいずれか一項に記載のモバイルデバイス。
【請求項１０】
無線通信ネットワークにおけるモビリティマネージャであって、
モバイルデバイスに対して通信セッションをセットアップするリクエストを受信するためのインタフェースと、
インターネットプロトコル（ＩＰ）セッション連続性が前記通信セッションに対して保証されるべきである場合、前記通信セッションに対するセッション接続がＩＰセッション連続性を保証するように設定することを選択し、ＩＰセッション連続性が前記通信セッションに対して保証されるべきでない場合、前記セッション接続がＩＰセッション連続性保証なしで設定することを選択するコントローラと、を備え、
前記コントローラは、前記セッション接続が前記ＩＰセッション連続性を保証するように設定することを選択する場合のみ、モビリティアンカーに、前記セッション接続に対するルーティングオーバーライドをセットアップするように要求する、モビリティマネージャ。
【請求項１１】
前記コントローラは、ＩＰセッション連続性が、前記通信セッションに対して保証されるべきか否かを決定する、請求項１０に記載のモビリティマネージャ。
【請求項１２】
前記コントローラは、ＩＰセッション連続性が、前記通信セッションの間に通信されるトラフィックの種類に基づいて、前記通信セッションに対して保証されるべきか否かを決定する、請求項１１に記載のモビリティマネージャ。
【請求項１３】
前記コントローラは、ＩＰセッション連続性が、前記通信セッションのパケットの複数のコンテンツに基づいて、前記通信セッションに対して保証されるべきか否かを決定する、請求項１１に記載のモビリティマネージャ。
【請求項１４】
前記インタフェースは、ＩＰセッション連続性が前記通信セッションに対して保証されるべきか否かを示すメッセージを受信する、請求項１０から１３のいずれか一項に記載のモビリティマネージャ。
【請求項１５】
前記モビリティアンカーは、パケットデータネットワーク（ＰＤＮ）ゲートウェイ（ＰＧＷ）を備え、前記モバイルデバイスはユーザ機器（ＵＥ）を備える、モビリティ管理エンティティ（ＭＭＥ）である、請求項１０から１３のいずれか一項に記載のモビリティマネージャ。
【請求項１６】
プロセッサと、
メモリと、を備える、請求項１０から１３のいずれか一項に記載のモビリティマネージャ。
【請求項１７】
通信ネットワークにおけるモビリティマネージャによって実行される方法であって、
モバイルデバイスに対して通信セッションをセットアップするリクエストを受信する段階と、
第１のＩＰアドレスが割り当てられた第１のセッション接続は、インターネットプロトコル（ＩＰ）セッション連続性を維持するように設定し、第２のＩＰアドレスが割り当てられた第２のセッション接続は、ＩＰセッション連続性を維持しないように設定する段階と、
モビリティアンカーに前記第１のセッション接続に対するルーティングオーバーライドをセットアップするように要求する段階と、を備える、方法。
【請求項１８】
前記第１のＩＰアドレス及び前記第２のＩＰアドレスは、動的ホスト構成プロトコル(ＤＨＣＰ)サーバによって提供される複数のアドレスを備える、請求項１７に記載の方法。
【請求項１９】
前記モビリティマネージャは、モビリティ管理エンティティ（ＭＭＥ）を備え、前記モビリティアンカーは、パケットデータネットワーク（ＰＤＮ）ゲートウェイ（ＰＧＷ）を備え、前記モバイルデバイスはユーザ機器（ＵＥ）を備える、請求項１７に記載の方法。
【請求項２０】
前記第１のＩＰアドレスは第１ＰＤＮ接続のアドレスを備え、前記第２のＩＰアドレスは、第２ＰＤＮ接続のアドレスを備える、請求項１７から１９のいずれか一項に記載の方法。
【請求項２１】
前記第１ＰＤＮ接続は、第１ゲートウェイ（ＧＷ）で終了し、前記第２ＰＤＮ接続は第２ＧＷで終了する、請求項２０に記載の方法。
【請求項２２】
コンピュータ実行可能な複数の命令を備える１または複数の有形コンピュータ可読非一時的記憶媒体を備える製品であって、少なくとも１つのコンピュータプロセッサによって実行される場合、
前記少なくとも１つのコンピュータプロセッサが、
無線ネットワークに通信セッションをセットアップするセッションセットアップリクエストを送信する段階と、
前記セッションセットアップリクエストに応答して前記通信セッションに割り当てられた第１のインターネットプロトコル（ＩＰ）アドレス及び第２のＩＰアドレス、ならびに前記第１のＩＰアドレスがＩＰセッション連続性を維持するように構成されているという指示を有するセッションセットアップ応答を受信する段階と、
前記通信セッションに対しＩＰセッション連続性が維持されるべきである場合、前記第１のＩＰアドレスを前記通信セッションに対して使用することを選択する、または前記通信セッションに対してＩＰセッション連続性が維持されるべきでない場合、前記第２のＩＰアドレスを前記通信セッションに対して使用することを選択する段階と、
を備える方法をモバイルデバイスにおいて実装することを可能に動作可能なコンピュータ実行可能な複数の命令を備える、１または複数の有形コンピュータ可読非一時的記憶媒体を備える製品。
【請求項２３】
前記方法は、前記通信セッションの間に通信されるトラフィックの１または複数の属性に基づいて、前記第１のＩＰアドレスと前記第２のＩＰアドレスとの間で選択する段階を備える、請求項２２に記載の製品。
【請求項２４】
前記モバイルデバイスは、ユーザ機器（ＵＥ）を備え、前記送信する段階は、第１メッセージを介して前記セッションセットアップリクエストを進化型ノードＢ（ｅＮＢ）に送信する段階を備え、前記受信する段階は、第２メッセージを介してセッションセットアップ応答を前記ｅＮＢから受信する段階を備える、請求項２２に記載の製品。
【請求項２５】
前記第１のＩＰアドレスは、第１パケットデータネットワーク（ＰＤＮ）接続のアドレスを備え、第２のＩＰアドレスは、第２ＰＤＮ接続のアドレスを備える、請求項２２から２４のいずれか一項に記載の製品。
【発明の詳細な説明】
【技術分野】
【０００１】
相互参照  本願は、２０１３年７月２６日に出願された「複数のアドバンスドワイヤレス通信システム及び複数の技術」という題の米国仮特許出願第６１／８５９，１２１号の利益及び優先権を主張し、当該開示の全体が参照によって本明細書に組み込まれる。
【０００２】
本明細書において説明するいくつかの実施形態は、一般に、インターネットプロトコル（ＩＰ）セッション連続性を選択的に提供することに関する。
【背景技術】
【０００３】
様々なタイプのモバイルネットワークは、各インターネットプロトコル（ＩＰ）セッションのセッション連続性を保証するべく、複数のモバイルデバイスに対してＩＰセッション連続性を提供するように構成されており、例えば、モバイルデバイスが、例えば、無線リンクハンドオフの結果として、１つのネットワークから他のネットワークまで移動するときに提供するように構成されている。例えば、モバイルデバイスの発信元ＩＰアドレスは、例えば、複数のモバイルデバイスが複数のネットワーク間において移動するとき、発信元ＩＰアドレスのネットワークプリフィックス部分の変更の結果として変わり得る。モバイルデバイスの発信元ＩＰアドレスにおける変化の結果として、例えば、発信元ＩＰアドレスにおける変化を認識していない、複数のネットワークノードによって生成される複数のパケットなどの古いＩＰアドレスを持っている複数のパケットは、モバイルデバイスに到達しないであろう。
【０００４】
ＩＰセッション連続性の保証に対する複数の一般的な解決策は、例えば、インターネットエンジニアリングタスクフォース（ＩＥＴＦ）によって規定されるモバイルインターネットプロトコル（ＭＩＰ）及びプロキシＭＩＰ（ＰＭＩＰ）スキーム、ならびに第３世代パートナーシッププロジェクト（３ＧＰＰ）によって規定される汎用パケット無線サービス（ＧＰＲＳ）トンネリングプロトコル（ＧＴＰ）を含む。
【０００５】
これらの解決策は、モバイルデバイスにセッション全体にわたって変化しないままである発信元ＩＰアドレスを割り当てるネットワークエージェントに依存する。ネットワークエージェントは、モバイルデバイスの位置を追跡し、そのモバイルデバイスに対して一時的なケア・オブ・アドレスを生成し、当該ケア・オブ・アドレスは、モバイルデバイスが１つのネットワークから他のネットワークまで移動するときにはいつでも変化する。ネットワークエージェントは、標準のルーティングスキームをオーバーライドする複数の特別のトンネルを形成することによってモバイルデバイスへ及びモバイルデバイスからの複数のパケットを転送する。
【０００６】
しかし、これらのＩＰセッション連続性を保証するための解決策は、複数のネットワークリソースを消費し、それは、それらがモバイルデバイスの位置を追跡するべくシグナリングスキームを要求し、また、トンネリングプロセスを通して複数のパケットのカプセル化／デカプセル化の実行を要求するからである。その実行は、次に処理能力を要求し、各パケットに送信されるべきオーバヘッド情報を生成する。さらに、トンネリングプロセスは、複数のパケットの通信において遅延を導き、その結果、例えばインタラクティブなビデオ会議及び／またはビデオ共有などのリアルタイムアプリケーションの体感品質（ＱｏＥ）が劣化し得る。
【図面の簡単な説明】
【０００７】
図示を簡潔及び明瞭にするため、図面に示される複数の要素は、必ずしも縮尺通りに描かれていない。例えば、提示を明瞭にすべく、いくつかの要素の寸法は、他の要素の寸法に関して誇張されていることがある。さらに、参照符号は複数の図面にわたり繰り返され、対応するまたは類似の複数の要素を示すことがある。図面は以下に列挙される。
【０００８】
【図１】いくつかの例証的な実施形態に係るワイヤレス通信システムの略ブロック図である。
【０００９】
【図２Ａ】モバイルデバイスとネットワークとの間のインターネットプロトコル（ＩＰ）セッション連続性を用いた第１接続の複数の通信経路の概略図である。
【図２Ｂ】いくつかの例証的実施形態に係る、モバイルデバイスとＩＰセッション連続性を用いないネットワークとの間の第２の接続の複数の通信経路の概略図である。
【００１０】
【図３Ａ】第１ゲートウェイを介してユーザ機器（ＵＥ）へのＩＰセッション連続性を保証する第１パケットデータネットワーク（ＰＤＮ）接続、及び第１ゲートウェイを介してＵＥへＩＰセッション連続性を保証しない第２ＰＤＮ接続の概略図である。
【図３Ｂ】いくつかの例証的実施形態に係る、ＵＥが第２ゲートウェイの範囲に移動するときの第１及び第２ＰＤＮ接続の概略図である。
【００１１】
【図４】いくつかの例証的実施形態に係る、ＩＰセッション連続性を選択的に提供する方法の概略図である。
【００１２】
【図５】いくつかの例証的実施形態に係る、ＩＰセッション連続性を選択的に提供する方法の概略図である。
【００１３】
【図６】いくつかの例証的実施形態に係る製品の概略図である。
【発明を実施するための形態】
【００１４】
以下の詳細な記載において、様々な実施形態の完全な理解を提供するべく多数の具体的な詳細が説明されている。しかし当業者は、これらの特定的な詳細を用いなくても、いくつかの実施形態を実施することが可能であることを理解するであろう。他の場合においては、周知の方法、手順、コンポーネント、ユニット及び／または回路は、詳述しないことで、本記載を曖昧にしないようにしている。
【００１５】
例えば、「処理」、「演算」、「計算」、「判断」、「確立」、「分析」、「確認」等の用語を利用する本明細書における説明は、コンピュータのレジスタ及び／またはメモリ内で物理量（例えば電子量）として表されるデータをコンピュータのレジスタ及び／またはメモリ、または動作及び／または処理を実行させる命令を記憶し得る他の情報記憶媒体内で同様に物理量として表される他のデータへと操作及び／または変換するコンピュータ、コンピューティングプラットフォーム、コンピューティングシステム、または他の電子コンピューティングデバイスの動作及び／または処理を指してよい。
【００１６】
本明細書で用いる「複数の」という用語は、例えば「多くの」または「２またはそれより多い」という意味を含む。例えば、「複数のアイテム」とは、「２またはそれより多いアイテム」といったことを意味する。
【００１７】
本明細書内の「一実施形態」、「１つの実施形態」、「例証実施形態」「様々な実施形態」等の言及は、記載されている本発明の実施形態が、特定の特徴、構造、または特性を含みうることを示すが、必ずしも全て実施形態が特定の特徴、構造、または特性を含むわけではない。さらに、「一実施形態では」という用語の繰り返しの使用は、同一の実施形態を参照し得るが、必ずしもそれを参照している必要はない。
【００１８】
本明細書で用いられるように、特に指定がない限り、共通の対象を説明するための「第１の」、「第２の」、「第３の」等の順序の形容詞の使用は、単に、同様の複数の対象の異なる事例が参照されていることを示し、そのように記載された複数の対象が、時間的、空間的、階層内または任意の他の態様のいずれかにおいて所定の順序において説明されなければいけないことを示唆することは意図されていない。
【００１９】
いくつかの実施形態は、様々なデバイス及びシステムと連動して用いられてよく、例えば、モバイルデバイス、モバイルノード、パーソナルコンピュータ（ＰＣ）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、パーソナルデジタルアシスタント（ＰＤＡ）デバイス、ハンドヘルド型ＰＤＡデバイス、オンボードデバイス、非搭載デバイス、ハイブリッドデバイス、乗物用デバイス、非乗物用デバイス、モバイルまたはポータブルデバイス、消費者向けデバイス、非モバイルまたは非ポータブルデバイス、無線通信局、無線通信デバイス、無線アクセスポイント（ＡＰ）、有線または無線ルータ、有線または無線モデム、ビデオデバイス、オーディオデバイス、オーディオビデオ（Ａ／Ｖ）デバイス、有線または無線ネットワーク、無線エリアネットワーク、セルラーネットワーク、セルラノード、無線ローカルエリアネットワーク（ＷＬＡＮ）、多重入出力（ＭＩＭＯ）送受信機またはデバイス、単一入力多重出力（ＳＩＭＯ）送受信機またはデバイス、多重入力単一出力（ＭＩＳＯ）送受信機またはデバイス、１または複数の内部アンテナ及び／または外部アンテナを有するデバイス、デジタルビデオブロードキャスト（ＤＶＢ）デバイスまたはシステム、マルチ規格無線デバイスまたはシステム、例えばスマートフォン、無線アプリケーションプロトコル（ＷＡＰ）デバイス、自動販売機、販売ターミナル等の有線または無線ハンドヘルドデバイスにおいて用いられてよい。
【００２０】
いくつかの実施形態は、既存のインターネットエンジニアリングタスクフォース（ＩＥＴＦ）仕様（「ＩＰｖ４に対するＩＰモビリティサポート、改訂版」、インターネットエンジニアリングタスクフォース（ＩＥＴＦ）、Ｒｅｑｕｅｓｔ  ｆｏｒ  Ｃｏｍｍｅｎｔｓ（ＲＦＣ）：５９４４、２０１０年１１月（モバイルＩＰｖ４）；及び／または「ＩＰｖ６におけるモビリティサポート、ＩＥＴＦ、ＲＦＣ６２７５」、２０１１年７月（モバイルＩＰｖ６）を含む）に従って動作するデバイス及び／またはネットワーク及び／またはそれらの将来のバージョン及び／または派生物と連動して用いられてもよく；例えば、第３世代パートナーシッププロジェクト（３ＧＰＰ）、及び／または３ＧＰＰロングタームエボリューション（ＬＴＥ）仕様（ＥＴＳＩ  ＴＳ  １３６  ３００  ＶＩ  １．３．０（２０１２−１１）：ＬＴＥ；進化型ユニバーサル地上波無線アクセス（Ｅ−ＵＴＲＡ）及び進化型ユニバーサル地上波無線アクセスネットワーク（Ｅ−ＵＴＲＡＮ）；全体の説明；ステージ２（３ＧＰＰ ＴＳ ３６．３００  バージョン１１．３．０リリース１１）、２０１２；ＴＳ ２３．４０１（「３ｒ＜ｉ世代パートナーシッププロジェクト；技術仕様グループサービス及びシステム態様；進化型ユニバーサル地上波無線アクセスネットワーク（Ｅ−ＵＴＲＡＮ）アクセス（リリース１２）に対する汎用パケット無線サービス（ＧＰＲＳ）拡張」、Ｖ１２．１．０、２０１３年６月））を含むなど、既存のセルラ仕様及び／またはプロトコル、及び／またはそれらの将来のバージョン及び／または派生物、既存の無線ギガビットアライアンス（ＷＧＡ）仕様（Ｗｉｒｅｌｅｓｓ Ｇｉｇａｂｉｔ Ａｌｌｉａｎｃｅ, Ｉｎｃ  ＷｉＧｉｇ  ＭＡＣ及びＰＨＹ仕様バージョン１．１、２０１１年４月、最終仕様）に従って動作するデバイス及び／またはネットワーク及び／またはそれらの将来のバージョン及び／または派生物、既存のＩＥＥＥ８０２．１１規格（ＩＥＥＥ８０２．１１−２０１２、情報技術のＩＥＥＥ規格‐ローカルシステムとメトロポリタンエリアネットワークとの間のテレコミュニケーション及び情報交換‐特定の必須条件パート１１：無線ＬＡＮ媒体アクセス制御（ＭＡＣ）及び物理層（ＰＨＹ）仕様、２０１２年３月２９日）に従って動作するデバイス及び／またはネットワーク、及び／またはそれらの将来のバージョン及び／または派生物、既存のＩＥＥＥ８０２．１６規格（ＩＥＥＥ‐Ｓｔｄ８０２、２００９年版、固定ブロードバンド無線アクセスシステムに対する無線インタフェース；ＩＥＥＥ‐Ｓｔｄ８０２．１６ｅ、２００５年版、認可帯域における組み合わされた固定及びモバイルオペレーション（Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄ）に対する物理層及び媒体アクセス制御層；タスクグループｍ（Ｔａｓｋ  Ｇｒｏｕｐ  ｍ）によって開発された、ＩＥＥＥ  Ｓｔｄ８０２．１６‐２００９の修正）に従って動作するデバイス及び／またはネットワーク及び／またはそれらの将来のバージョン及び／または派生物、既存のＷｉｒｅｌｅｓｓＨＤ(登録商標)仕様に従って動作するデバイス及び／またはネットワーク及び／また��それらの将来のバージョン及び／または派生物、上記のネットワーク等の一部であるユニット及び／またはデバイスと連動して用られてよい。
【００２１】
いくつかの実施形態は、例えば、高周波数（ＲＦ）周波数‐分割多重化（ＦＤＭ）、直交ＦＤＭ（ＯＦＤＭ）、単一キャリア周波数分割多元接続（ＳＣ−ＦＤＭＡ）、時分割多重化（ＴＤＭ）、時分割多重接続（ＴＤＭＡ）、拡張ＴＤＭＡ（Ｅ−ＴＤＭＡ）、汎用パケット無線サービス（ＧＰＲＳ）、拡張ＧＰＲＳ、コード分割多重アクセス（ＣＤＭＡ）、広帯域ＣＤＭＡ（ＷＣＤＭＡ（登録商標））、ＣＤＭＡ２０００、単一キャリアＣＤＭＡ、マルチキャリアＣＤＭＡ、マルチキャリア変調（ＭＤＭ）、ディスクリートマルチトーン（Ｄｉｓｃｒｅｔｅ  Ｍｕｌｔｉ−ｔｏｎｅ（ＤＭＴ））、Ｂｌｕｅｔｏｏｔｈ（登録商標）、全地球測位システム（ＧＰＳ）、ワイヤレスフィディリティ（Ｗｉ−Ｆｉ（登録商標））、Ｗｉ−Ｍａｘ、ＺｉｇＢｅｅ（登録商標）、ウルトラ広帯域（ＵＷＢ）、モバイル通信用グローバルシステム（ＧＳＭ（登録商標））、第２世代（２Ｇ）、２．５Ｇ、３Ｇ、３．５Ｇ、４Ｇ、第５世代（５Ｇ）モバイルネットワーク、３ＧＰＰ、ロングタームエボリューション（ＬＴＥ）セルラーシステム、ＬＴＥアドバンスセルラーシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、単一キャリア無線送信技術（ＩＸＲＴＴ）、エボリューションデータ最適化（Ｅｖ−ＤＯ）、ＧＳＭ（登録商標）進化型高速データレート（ＥＤＧＥ）等、１または複数の種類の無線通信信号及び／またはシステムと連動して用いられてよい。他の実施形態が、様々な他のデバイス、システム及び／またはネットワークにおいて使用されてもよい。
【００２２】
本明細書において用いられるように、「無線デバイス」という用語は、例えば、無線通信を行うこと可能なデバイス、無線通信を行うことが可能な通信デバイス、無線通信を行うことが可能な通信局、無線通信を行うことが可能なポータブルまたは非ポータブルデバイス等を含む。いくつかの実施形態において、無線デバイスは、コンピュータに統合された周辺機器、またはコンピュータに取り付けられた周辺機器を含むかまたはそれであってよい。いくつかの実施形態において、「無線デバイス」という用語は、無線サービスを任意に含んでよい。
【００２３】
本明細書において無線通信信号に関して用いられるように、「通信する」という用語は、無線通信信号を送信すること及び／または無線通信信号を受信することを含む。例えば、無線通信信号を通信することが可能な無線機は、少なくとも１つの他の無線機に無線通信信号を送信する無線トランスミッタ、及び／または少なくとも１つの他の無線機から無線通信信号を受信する無線通信レシーバを含む。「通信する」という動詞は、送信の動作または受信の動作を指すために用いられてよい。一例において、「信号を通信する」という用語は、第１のデバイスによって信号を送信する動作を指し、第２のデバイスによって信号を受信する動作を必ずしも含まなくてもよい。他の例において、「信号を通信する」という用語は、第１のデバイスによって信号を受信する動作を指してよく、第２のデバイスによって信号を送信する動作を必ずしも含まなくてもよい。
【００２４】
いくつかの例証的実施形態は、本明細書においてセルラーシステムに関して説明される。しかし、複数の他の実施形態は、例えば、ＩＰベースの通信ネットワーク等、他の如何なる好適な無線通信ネットワークまたはシステムにおいて実装されてもよい。
【００２５】
いくつかの例証的実施形態は、本明細書において、ＬＴＥセルラーシステムに関して説明される。しかし、複数の他の実施形態は、例えば３Ｇセルラーネットワーク、４Ｇセルラーネットワーク、５Ｇセルラーネットワーク、ＷｉＭＡＸセルラーネットワーク等、他の如何なる好適なセルラーネットワークにおいて実装されてもよい。
【００２６】
いくつかの例証的実施形態は、例えば、セルラ、ｍｍ波及び／または同様のもの等を含む技術、周波数、セル寸法及び／またはネットワークアーキテクチャの混合の配置を利用し得る異種ネットワーク（ＨｅｔＮｅｔ）と連動して用いられてよい。一例において、ＨｅｔＮｅｔは、例えば複数のピコセルから複数のフェムトセルまでの、複数の大きいマクロセルから複数の小さいセルまで及ぶ異なる寸法のセルの複数の層を有する無線アクセスネットワークを含んでよい。
【００２７】
複数の他の実施形態は、他の如何なる無線通信ネットワークと連動して用いられてもよい。
【００２８】
本明細書において用いられるように、「アンテナ」という用語は、任意の適した１または複数のアンテナ素子、コンポーネント、ユニット、アセンブリ及び／またはアレイのコンフィギュレーション、構成及び／または配置を含んでよい。いくつかの実施形態において、アンテナは、独立した送受信アンテナ素子を用い送受信機能を実装してよい。いくつかの実施形態において、アンテナは、共通の及び／または統合された送信／受信素子を用いて送受信機能を実装してもよい。アンテナは、例えば、フェーズドアレイアンテナ、単一素子アンテナ、ダイポールアンテナ、一式のスイッチ式ビームアンテナ及び／または同様のもの等を含んでよい。
【００２９】
本明細書において用いられるように、「セル」という用語は、例えば、ダウンリンク及び任意にアップリンクの複数のリソースなど、複数のネットワークリソースの組合せを含んでもよい。複数のリソースは、例えば、セルラノード（「基地局」とも称される）等によって制御され及び／または割り当てられてよい。複数のダウンリンクリソースのキャリア周波数と複数のアップリンクリソースのキャリア周波数との間のリンク付けは、複数のダウンリンクリソースにおいて送信されたシステム情報に示されてよい。
【００３０】
ここで、いくつかの例証的実施形態に従って、ワイヤレス通信システム１００のブロック図を模式的に示す図１を参照する。
【００３１】
図１に示されるように、いくつかの例証的実施形態において、システム１００は、例えば以下で説明するような少なくとも１つ無線アクセスネットワーク（ＲＡＮ）を介して１または複数の有線ネットワーク１８０を用いて通信することが可能な少なくとも１つモバイルデバイス（「モバイルノード」とも称される）１０２を含んでもよい。
【００３２】
いくつかの例証的実施形態において、モバイルデバイス１０２は、ネットワーク１８０のサーバ１８１を用いて通信してよい。
【００３３】
いくつかの例証的実施形態において、ネットワーク１８０は、１または複数のパケットデータネットワーク（ＰＤＮ）を含んでよい。例えば、ネットワーク１８０は、インターネットネットワーク１８２、ＩＰマルチメディアコアネットワークサブシステム（ＩＭＳ）ネットワーク１８４、及び／または任意の他のＰＤＮを含んでよい。複数の他の実施形態において、ネットワーク１８０は、如何なる他の適した追加の及び／または代替のネットワークを含んでもよい。
【００３４】
いくつかの例証的実施形態において、モバイルデバイス１０２は、例えば、アクセスネットワーク１５０のＢＳ１５１、ＢＳ１５３及び／またはＢＳ１５５の１または複数の基地局（ＢＳ）（「ネットワークノード」または「ノード」とも称される）と、例えば、無線機チャネル、セルラチャネル、ＲＰチャネル、ワイヤレスフィディリティ（ＷｉＦｉ（登録商標））チャネル、ＩＲチャネル等の１または複数の無線通信媒体を介して通信してよい。
【００３５】
いくつかの例証的実施形態において、アクセスネットワーク１５０はまた、アクセスネットワーク１５０の複数のＢＳと複数のネットワーク１８０との間におけるトラフィックをルーティングするべく複数のルータを含んでよい。例えば、アクセスネットワーク１５０は、ＢＳ１５１とルータ１５６との間の複数の通信をルーティングするルータ１５２と、ＢＳ１５３及び１５５とルータ１５６との間の複数の通信をルーティングするルータ１５４とを含んでよい。一例において、ルータ１５６は、複数のネットワーク１８０の１ネットワークに直接接続してよい。他の例において、ルータ１５６は、１または複数の他のルータを介してネットワーク１８０に間接的に接続してよい。
【００３６】
いくつかの例証的実施形態において、例えば以下で説明するように、ルータ１５２、１５４及び／または１５６は、例えば、ＰＤＮゲートウェイ（ＰＧＷ）、ローカルゲートウェイ（ＬＧＷ）、サービングゲートウェイ（ＳＧＷ）、及び／または、任意の他のＧＷ等、１または複数のゲートウェイ（ＧＷ）を含むか、または当該１または複数のゲートウェイ（ＧＷ）の一部として実装されてもよい。
【００３７】
いくつかの例証的実施形態において、システム１００は、また、コアネットワーク（ＣＮまたはＣＮＷ）１６０を含んでもよく、それは、モバイルデバイス１０２に１または複数のサービスを提供するように、及び／またはモバイルデバイス１０２とＲＡＮ１５０及び／または複数のネットワーク１８０との間の通信をセットアップ及び／または管理するように構成され得る。
【００３８】
いくつかの例証的実施形態において、ＣＮ１６０は、モビリティマネージャ１６２を含み、例えば以下で説明するように、複数のＲＡＴネットワークの間のモバイルデバイス１０２のモビリティの１または複数のモビリティ関連の特徴を管理してよい。
【００３９】
いくつかの例証的実施形態において、モビリティマネージャ１６２は、インタフェース１６４を含み、モビリティマネージャ１６２と、例えば以下で説明するように、システム１００の１または複数の他の素子との間においてインタフェースで接続してよい。
【００４０】
いくつかの例証的実施形態において、インタフェース１６４は、管理インタフェースを含み、例えば以下で説明するように、モバイルデバイス１０２のセッションを管理するべく複数の管理メッセージを通信してよい。
【００４１】
いくつかの例証的実施形態において、インタフェース１６４は、モバイルデバイス１０２に対する通信セッションをセットアップするリクエストを受信するように構成されてよい。
【００４２】
いくつかの例証的実施形態において、モビリティマネージャ１６２は、また、例えば以下で説明するように、通信セッションに対するセッション接続を構成するべくコントローラ１６６を含んでもよい。
【００４３】
いくつかの例証的実施形態において、モビリティマネージャ１６２は、例えば、プロセッサ１７１、メモリユニット１７２、及びストレージユニット１７３の１または複数もまた含んでもよい。モビリティマネージャ１６２は、任意に、他の適したハードウェアコンポーネント及び／またはソフトウェアコンポーネントを含んでもよい。いくつかの例証的実施形態において、モビリティマネージャ１６２の１または複数のいくつかまたは全てのコンポーネントは、共通の筐体またはパッケージングに収納されてよく、１または複数の有線または無線リンクを用いて相互接続されたまたは動作可能に関連付けされてもよい。
【００４４】
プロセッサ１７１は、例えば、中央処理装置（ＣＰＵ）、デジタルシグナルプロセッサ（ＤＳＰ）、１または複数のプロセッサコア、単一コアプロセッサ、デュアルコアプロセッサ、複数コアプロセッサ、マイクロプロセッサ、ホストプロセッサ、コントローラ、複数のプロセッサまたはコントローラ、チップ、マイクロチップ、１または複数の回路、回路、ロジックユニット、集積回路（ＩＣ）、特定用途用ＩＣ（ＡＳＩＣ）、または他の如何なる好適な多目的または特定のプロセッサもしくはコントローラを含む。プロセッサ１７１は、例えば、モビリティマネージャ１６２のオペレーティングシステム（ＯＳ）及び／または１または複数の適切なアプリケーションの複数の命令を実行する。
【００４５】
メモリユニット１７２は、例えば、ランダムアクセスメモリ（ＲＡＭ）、リードオンリーメモリ（ＲＯＭ）、ダイナミックＲＡＭ（ＤＲＡＭ）、シンクロナスＤＲＡＭ（ＳＤ‐ＲＡＭ）、フラッシュメモリ、揮発性メモリ、不揮発性メモリ、キャッシュメモリ、バッファ、短期記憶ユニット、長期記憶ユニット、または他の適した記憶ユニットを含む。ストレージユニット１７３は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、または他の適した取り外し可能または不可能なストレージユニットを含む。メモリユニット１７２及び／またはストレージユニット１７３は、例えば、モビリティマネージャ１６２によって処理されるデータを記憶してよい。
【００４６】
いくつかの例証的実施形態において、アクセスネットワーク１５０は、モバイルデバイス１０２のインターネットプロトコル（（ＩＰ））セッションに対してルーティングオーバーライドをセットアップするように構成された少なくとも１つのモビリティアンカー１５８を含んでよい。
【００４７】
本明細書において用いられるように、「ルーティングオーバーライド」という用語は、例えば、モバイルデバイスが複数のネットワークの間で移動する場合であっても、ＩＰセッションのセッション連続性を維持するように構成されている任意のプロトコル及び／またはメカニズムを含んでよい。例えば、ルーティングオーバーライドプロトコルは、ＩＰセッションに対し、例えば複数のゲートウェイ及び／またはネットワーク間を動くときでも一定のＩＰアドレスを維持するように構成されてよい。
【００４８】
いくつかの例証的実施形態において、モビリティアンカー１５８は、例えば、インターネットエンジニアリングタスクフォース（ＩＥＴＦ）によって規定されるモバイルインターネットプロトコル（ＭＩＰ）及びプロキシＭＩＰ（ＰＭＩＰ）スキーム等のトンネリングプロトコル、及び／または第３世代パートナーシッププロジェクト（（３ＧＰＰ））によって規定される汎用パケット無線サービス（ＧＰＲＳ）トンネリングプロトコル（ＧＴＰ）に従って、ルーティングオーバーライドをセットアップしてよい。
【００４９】
複数の他の実施形態において、モビリティアンカー１５８は、例えば、ホストルーティングプロトコル、ダブルリバースネットワークアドレス変換（ＮＡＴ）（ＤｒＮＡＴ）、または任意の他のプロトコル等、任意の他のプロトコルまたはメカニズムに従ってルーティングオーバーライドをセットアップしてよい。
【００５０】
いくつかの例証的実施形態において、モビリティマネージャ１６２は、モバイルデバイス１０２のＩＰセッションに対してルーティングオーバーライドのセットアップを開始及び／または管理し得る。例えば、コントローラ１６６は、モビリティアンカー１５８に対し、例えば以下で説明するように、モバイルデバイス１０２のＩＰセッションに対するルーティングオーバーライドをセットアップするリクエストを送信し得る。
【００５１】
いくつかの例証的実施形態において、システム１００は、セルラーネットワークを含んでよい。例えば、システム１００は、グローバルシステムフォーモバイルコミュニケーションズ（ＧＳＭ（登録商標））ネットワーク、ユニバーサルモバイルテレコミュニケーションシステム（ＵＭＴＳ）ネットワーク、ロングタームエボリューション（ＬＴＥ）ネットワーク、ＬＴＥアドバンスドネットワークの第５世代（５Ｇ）ネットワーク、または任意の他のセルラーネットワークを含んでよい。
【００５２】
一例において、モバイルデバイス１０２は、ユーザエンティティ（ＵＥ）を含んでよく、ＢＳ１５１、１５３、及び／または１５５は、例えば、進化型ノードＢ（ｅＮＢ）等のセルラノードを含んでもよく；モビリティマネージャ１６２はモビリティ管理エンティティ（ＭＭＥ）を含んでよく、ルータ１５２、１５４及び／または１５６は、例えばＳＧＷ、ＬＧＷ等の１または複数のゲートウェイを含んでよく、及び／またはモビリティアンカー１５８は、例えば図３Ａ及び３Ｂを参照して以下で説明するように、例えばＰＧＷを含んでよい。
【００５３】
複数の他の実施形態において、システム１００は、例えば非セルラーネットワーク等、任意の他のネットワークを含んでよい。
【００５４】
いくつかの例証的実施形態において、モバイルデバイス１０２は、例えば、モバイルコンピュータ、ラップトップコンピュータ、ノートブックコンピュータ、タブレットコンピュータ、モバイルインターネットデバイス、ハンドヘルドコンピュータ、ハンドヘルドデバイス、ストレージデバイス、ＰＤＡデバイス、ハンドヘルド型ＰＤＡデバイス、オンボードデバイス、非搭載デバイス、ハイブリッドデバイス（例えば、複数の携帯電話機能と複数のＰＤＡデバイス機能との組み合わせ）、消費者向けデバイス、乗り物用デバイス、非乗り物用デバイス、モバイルまたはポータブルデバイス、携帯電話、セル方式携帯電話、ＰＣＳデバイス、モバイルまたはポータブルＧＰＳデバイス、ＤＶＢデバイス、比較的小さいコンピューティングデバイス、非デスクトップコンピュータ、「Ｃａｒｒｙ  Ｓｍａｌｌ  Ｌｉｖｅ  Ｌａｒｇｅ（ＣＳＬＬ）」デバイス、ウルトラモバイルデバイス（ＵＭＤ）、ウルトラモバイルＰＣ（ＵＭＰＣ）、モバイルインターネットデバイス（ＭＩＤ）、「Ｏｒｉｇａｍｉ」デバイスまたはコンピューティングデバイス、ビデオデバイス、オーディオデバイス、Ａ／Ｖデバイス、ゲームデバイス、メディアプレーヤー、スマートフォン等を含んでよい。
【００５５】
いくつかの例証的実施形態において、モバイルデバイス１０２は、モバイルデバイス１０２及びアクセスネットワーク１５０の間で、及び／または１または複数の他の無線通信デバイスを用いて、無線通信を実行する１または複数の無線通信部を含んでよい。例えば、モバイルデバイス１０２は、複数の無線通信信号、複数のＲＦ信号、複数のフレーム、複数のブロック、複数複数の送信ストリーム、複数のパケット、複数のメッセージ、複数のデータアイテム、及び／またはデータを送信及び／または受信することが可能な１つまたは複数の無線トランスミッタ、レシーバ及び／または送受信機を含む少なくとも１つの無線機１４３を含んでよい。
【００５６】
いくつかの例証的実施形態において、無線機１４３は、所望される場合アンテナビーム形成方法を実行可能であってよい多重入出力（ＭＩＭＯ）送受信機システム（図示せず）を含んでよい。複数の他の実施形態において、無線機１４３は、任意の他のトランスミッタ及び／またはレシーバを含んでもよい。
【００５７】
いくつかの例証的実施形態において、無線機１４３は、所望の場合複数のデータビットを複数のデータシンボルに符号化及び／または復号化するためのターボデコーダ及び／またはターボエンコーダ（図示せず）を含んでよい。複数の他の実施形態において、無線機１４３は、任意の他のエンコーダ及び／またはデコードを含んでよい。
【００５８】
いくつかの例証的実施形態において、モバイルデバイス１０２は、少なくとも１つのセルラリンクを介してアクセスネットワーク１５０を用いて通信してよい。例えば、無線機１４３は、ＯＦＤＭ信号を、例えばアクセスネットワーク１５０とモバイルデバイス１０２との間で、ダウンリンクチャネル上で通信させ、ＳＣ−ＦＤＭＡ信号を、例えばモバイルデバイス１０２とアクセスネットワーク１５０との間で、アップリンクチャネル上で、通信させるように構成された複数のＯＦＤＭ及び／またはＳＣ−ＦＤＭＡ変調器及び／または復調器（図示せず）を含んでよい。複数の他の実施形態において、無線機１４３は、任意の他の変調器及び／または復調器を含んでもよい。
【００５９】
いくつかの例証的実施形態において、無線機１４３は、例えば以下で説明するように、無線機１４３の複数の機能を実行するように構成された回路及び／またはロジックを含むシステムオンチップ（ＳｏＣ）の形において実装してよい。
【００６０】
いくつかの例証的実施形態において、無線機１４３は、１または複数のアンテナに関連付けられ得る。一例において、無線機１４３は、少なくとも２つのアンテナに関連付けられてよく、例えばアンテナ１１２及び１１４、または、例えば１つのアンテナまたは２つより多いアンテナ等、任意の他の数のアンテナに関連付けられ得る。
【００６１】
いくつかの例証的実施形態において、アンテナ１１２及び／または１１４は、複数の無線通信信号、複数のブロック、複数のフレーム、複数の送信ストリーム、複数のパケット、複数のメッセージ及び／またはデータを送信及び／または受信するために適した任意のタイプの複数のアンテナを含んでよい。例えば、アンテナ１１２及び／または１１４は、１または複数のアンテナ、素子、コンポーネント、ユニット、アセンブリ及び／またはアレイの任意の適した設定、構成及び／または配置を含んでもよい。例えば、アンテナ１１２及び／または１１４は、フェーズドアレイアンテナ、ダイポールアンテナ、単一素子アンテナ、スイッチ型ビームアンテナ、及びまたは同様のもの等を含んでよい。
【００６２】
いくつかの実施形態において、アンテナ１１２及び／または１１４は、独立した複数の送受信アンテナ素子を用いて複数の送受信機能を実装し得る。いくつかの実施形態において、アンテナ１１２及び／または１１４は、共通の及び／または統合された複数の送信／受信素子を用いて複数の送受信機能を実装してよい。
【００６３】
いくつかの例証的実施形態において、モバイルデバイス１０２は、また、例えば以下で説明するようにモバイルデバイス１０２によって実行される複数の通信を制御するコントローラ１４５も含んでよい。
【００６４】
１つの例証的実施形態において、コントローラ１４５の１または複数の機能は、モバイルデバイス１０２のオペレーティングシステム（ＯＳ）の一部として実装され得る。
【００６５】
他の例証的実施形態において、コントローラ１４７の１または複数の機能は、モバイルデバイス１０２によって実行されるアプリケーション１４７の一部として実装され得る。
【００６６】
他の例証的実施形態において、コントローラ１４５の１または複数の機能は、モバイルデバイス１０２の無線通信部の一部として実装され得る。一例において、コントローラ１４５及び無線機１４３は、無線通信ＳｏＣの一部として実装され得る。
【００６７】
複数の他の実施形態において、コントローラ１４５の１または複数の機能は、モバイルデバイス１０２の任意の他の素子の一部として実装され得る。
【００６８】
いくつかの例証的実施形態において、モバイルデバイス１０２は、例えば、プロセッサ１２４、入力ユニット１１６、出力ユニット１１８、メモリユニット１２０、及びストレージユニット１２２の１または複数もまた含んでよい。モバイルデバイス１０２は、任意に、他の適したハードウェアコンポーネント及び／またはソフトウェアコンポーネントを含んでよい。いくつかの例証的実施形態において、モバイルデバイス１０２の１または複数のコンポーネントのいくつかまたは全ては、共通の筐体またはパッケージングに収納されてよく、１または複数の有線または無線リンクを用いて相互接続されるかまたは動作可能に関連付けられ得る。
【００６９】
プロセッサ１２４は、例えば、中央処理装置（ＣＰＵ）、デジタルシグナルプロセッサ（ＤＳＰ）、１または複数のプロセッサコア、単一コアプロセッサ、デュアルコアプロセッサ、複数コアプロセッサ、マイクロプロセッサ、ホストプロセッサ、コントローラ、複数のプロセッサまたはコントローラ、チップ、マイクロチップ、１または複数の回路、電気回路（ｃｉｒｃｕｉｔｒｙ）、ロジックユニット、集積回路（ＩＣ）、特定用途ＩＣ（ＡＳＩＣ）、または任意の他の好適な多目的または特定のプロセッサまたはコントローラを含む。プロセッサ１２４は、例えば、モバイルデバイス１０２及び／または、１または複数の適切なアプリケーションのオペレーティングシステム（ＯＳ）の複数の命令を実行する。
【００７０】
入力ユニット１１６は、例えば、キーボード、キーパッド、マウス、タッチスクリーン、タッチパッド、追跡ボール、スタイラス、マイクまたは他の適したポインティングデバイスまたは入力デバイスを含む。出力ユニット１１８は、例えば、モニタ、スクリーン、タッチスクリーン、フラットパネルディスプレイ、液晶ディスプレイ（ＬＣＤ）ディスプレイユニット、プラズマディスプレイユニット、１または複数のオーディオスピーカまたはイアフォン、または他の適した出力デバイスを含む。
【００７１】
メモリユニット１２０は、例えば、ランダムアクセスメモリ（ＲＡＭ）、リードオンリーメモリ（ＲＯＭ）、ダイナミックＲＡＭ（ＤＲＡＭ）、シンクロナスＤＲＡＭ（ＳＤ‐ＲＡＭ）、フラッシュメモリ、揮発性メモリ、不揮発性メモリ、キャッシュメモリ、バッファ、短期メモリユニット、長期メモリユニット、または他の適したメモリユニットを含む。ストレージユニット１２２は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、または他の適した取り外し可能または不可能なストレージユニットを含む。メモリユニット１２０及び／またはストレージユニット１２２は、例えば、モバイルデバイス１０２によって処理されたデータを記憶し得る。
【００７２】
いくつかの例証的実施形態において、モバイルデバイス１０２の通信セッションに対するＩＰセッション連続性を保証することは、複数のネットワークリソースを消費するかもしれなく、それは、例えば、モバイルデバイス１０２の位置を追跡するべくシグナリングスキームをサポートするために必要とされ得る。さらに、モビリティアンカー１５８でのルーティングオーバーライドは、通信セッションの間に通信される各パケットで送信されるべきオーバヘッド情報をもたらし得る。さらに、モビリティアンカー１５８でのルーティングオーバーライドは、複数のパケットの通信において複数の遅延をもたらすかもしれなく、その結果、例えばインタラクティブなビデオ会議及び／またはビデオ共有等、リアルタイムアプリケーションの体感品質（ＱｏＥ）が劣化し得る。
【００７３】
従って、ＩＰセッション連続性を各通信セッションに例えばデフォルトによって保証することは、複数のネットワークリソースの消費の増加をもたらすことになり得る。
【００７４】
いくつかの例証的実施形態において、システム１００の１または複数の素子は、例えばモバイルデバイス１０２を含む１または複数のモバイルデバイスの複数の通信セッションのＩＰセッション連続性を、例えばセッション単位で選択的に提供することを可能にするように構成され得る。例えば、システム１００の１または複数の素子は、例えば以下で説明するように、ＩＰセッション連続性を１または複数の通信セッションに保証することと、ＩＰセッション連続性を１または複数の他の通信セッションに保証しないこととの間で選択することを可能にするように構成され得る。
【００７５】
いくつかの例証的実施形態において、システム１００の１または複数の要素は、セッション接続をセットアップ及び／または使用するように構成されてよく、それは、ＩＰセッション連続性を保証しない（「無保証セッション接続」）。
【００７６】
例えば、無保証セッション接続は、適切に動作するべくＩＰセッション連続性を要求しない、またはＩＰセッション連続性が維持されない場合も著しく影響を受けないかもしれない通信セッションの通信トラフィックのためにセットアップされ得る及び／または用いられ得る。一例において、無保証セッション接続は、パケット交換の複数のショートバーストによって特徴付けられる複数のアプリケーションのトラフィックを通信するためにセットアップされ得る及び／または用いられ得る。例えば、例えば電子メール（ｅｍａｉｌ）アプリケーションまたはウェブブラウジングアプリケーション等いくつかのアプリケーションのＱｏＥは、ＩＰセッション連続性における複数の中断によって実質的に影響を受けないかもしれない。従って、無保証セッション接続は、そのような複数のアプリケーションに対するセットアップであってよい。
【００７７】
いくつかの例証的実施形態において、システム１００の１または複数の要素は、ＩＰセッション連続性を保証するセッション接続（「保証セッション接続」）をセットアップ及び／または使用するように構成されてよい。
【００７８】
例えば、保証セッション接続は、ＩＰセッション連続性が適切に動作することを要求する、またはＩＰセッション連続性が維持されない場合に著しく影響され得るアプリケーションのトラフィックを通信するためにセットアップ及び／または用いられ得る。一例において、保証セッション接続は、パケット交換の複数の長いシーケンスによって特徴付けられる複数のアプリケーション、及び／または複数の短い遅延を必要とする複数のアプリケーションのトラフィックを通信するためにセットアップ及び／または用いられ得る。例えば、例えばビデオ会議アプリケーション、ビデオストリーミングアプリケーション、ゲームアプリケーション等、いくつかのアプリケーションのＱｏＥはＩＰセッション連続性における複数の中断によって実質的に影響され得る。従って、保証セッション接続は、そのようなアプリケーションに対するセットアップであってよい。
【００７９】
いくつかの例証的実施形態において、システム１００の１または複数の要素は、例えばアプリケーション毎の単位でまたはセッション毎の単位で、ＩＰセッション連続性が必要とされる複数の場合を特定し、例えば、ＩＰセッション連続性が要求される複数の場合にのみ、選択的にＩＰセッション連続性を提供するが、例えば、ＩＰセッション連続性を要求しない場合にはＩＰセッション連続性を提供しないように構成され得る。
【００８０】
いくつかの例証的実施形態において、システム１００の１または複数の要素は、ＩＰセッション連続性が、例えば以下で説明するように、サービスまたはＩＰセッションに関してセットアップ及び／または保証されるべきか否かを検出及び／または決定するように構成され得る。
【００８１】
いくつかの例証的実施形態において、例えばモバイルデバイス１０２等、ＩＰセッションのクライアント側は、ＩＰセッション連続性がそのＩＰセッションに対して保証されるべきか決定するように構成され得る。例えば、アプリケーション１４７及び／またはコントローラ１４５は、モバイルデバイス１０２とサーバ１８０との間において開始されるべきであるＩＰセッションが、ＩＰセッション連続性を必要とするＩＰセッションとして分類されるべきか、またはＩＰセッション連続性を必要としないＩＰセッションとして分類されるべきかを、例えばアプリケーション１４７の種類、ＩＰセッションの間に通信されるトラフィックの種類、及び／またはＩＰセッションに対応する任意の他の情報に基づいて、決定するように構成され得る。
【００８２】
いくつかの例証的実施形態において、例えば、サーバ１８０等、ＩＰセッションのサーバ側は、ＩＰセッション連続性がＩＰセッションに対して保証されるべきかを決定するように構成され得る。例えば、サーバ１８０は、モバイルデバイス１０２とサーバ１８０との間で開始されるべきＩＰセッションが、ＩＰセッション連続性を必要とするＩＰセッションとして分類されるべきか、またはＩＰセッション連続性を必要としないＩＰセッションとして分類されるべきかを、例えばアプリケーション１４７の種類、ＩＰセッションの間に通信されるトラフィックの種類、及び／またはＩＰセッションに対応する任意の他の情報に基づいて、決定するように構成され得る。
【００８３】
いくつかの例証的実施形態において、コアネットワーク１６０のネットワークエンティティは、ＩＰセッション連続性が、例えば以下で説明するように、そのＩＰセッションに対して保証されるべきかを決定するように構成され得る。
【００８４】
いくつかの例証的実施形態において、モビリティマネージャ１６２は、例えばモバイルデバイス１０２とサーバ１８０との間等、モバイルデバイスとサーバとの間でセットアップされるべき新たなＩＰセッションが、ＩＰセッション連続性を要求するか否かを特定するように構成され得る。
【００８５】
いくつかの例証的実施形態において、モビリティマネージャ１６２は、例えばモバイルデバイス１０２の１または複数の属性等、ＩＰセッションのクライアント側の１または複数の属性に基づいて、新たなＩＰセッションがＩＰセッション連続性を要求するか否かを決定してよい。例えば、コントローラ１６６は、複数の予め規定された複数の種類のモバイルデバイスからのトラフィックを特定するように構成され得る。
【００８６】
いくつかの例証的実施形態において、システム１００のインフラストラクチャーは、予め規定されたトラフィックの必要性を有するかもしれない、複数の周知のガジェットを追跡するように構成され得る。例えば、モバイルデバイス１０２等のガジェットは、ＩＰセッション連続性を要求するかまたは要求しないかのいずれであってよい予め規定された種類のトラフィックを通信するように構成され得る。
【００８７】
いくつかの例証的実施形態において、ガジェットがシステム１００に接続するときにはいつでも、そのガジェットのアイデンティティが、例えば、ガジェットによって提供され得る複数の識別特性に基づいて、検出され得る。一例において、例えば認証、許可および課金（ＡＡＡ）サーバ等のサーバは、ガジェットに対するサービスを認証するように構成されてよく、周知の複数のガジェットのデータベースを維持してよい。ＡＡＡサーバは、モビリティマネージャ１６２及び／またはモビリティアンカー１５８にガジェットの種類に関する情報を提供してよく、モビリティマネージャ１６２及び／またはモビリティアンカー１５８は、ガジェットに属しているＩＰセッションに対してＩＰセッション連続性を、例えばガジェットの種類に基づいて保証するべきか否かを決定することが可能であってよい。
【００８８】
いくつかの例証的実施形態において、モビリティマネージャ１６２及び／またはモビリティアンカー１５８は、新たなＩＰセッションがＩＰセッション連続性を要求するか否かを、例えばサーバ１８０の１または複数の属性等、ＩＰセッションのサーバ側の１または複数の属性に基づいて決定してよい。例えば、モビリティマネージャ１６２及び／またはモビリティアンカー１５８は、例えば、トランスミッション制御プロトコル（ＴＣＰ）またはユーザデータグラムプロトコル（ＵＤＰ）ポート等、セッションの種類を示唆する周知の複数のポートへのトラフィックを特定するように構成され得る。
【００８９】
いくつかの例証的実施形態において、ＩＰセッションのサーバ側の１または複数の属性に基づいて、新たなＩＰセッションがＩＰセッション連続性を要求するべきか否かを決定する段階は、モビリティマネージャ１６２及び／またはモビリティアンカー１５８がモバイルデバイス１０２についての予備情報を維持する及び／または監視することは要求しなくてよい。さらに、新たなＩＰセッションがＩＰセッション連続性を要求するか否かをＩＰセッションのサーバ側の１または複数の属性に基づいて決定する段階は、ＩＰセッション連続性を要求するトラフィックを生成し、及び同様にＩＰセッション連続性を要求しないトラフィックの両方を生成する、複数のハンドリングモバイルデバイスを利用可能にしてよい。
【００９０】
いくつかの例証的実施形態において、モビリティマネージャ１６２及び／またはモビリティアンカー１５８は、例えばサーバ１８０のＴＣＰまたはＵＤＰポート等の目的地ポートを特定し、新たなＩＰセッションが、例えばＩＰセッションの第１パケットのＩＰヘッダに基づいてセットアップされるようにハンドリングしてよい。モビリティマネージャ１６２及び／またはモビリティアンカー１５８は、ＩＰセッションが、例えば目的地ＴＣＰまたはＵＤＰポートに基づいてＩＰセッション連続性を要求するか否かを特定してよい。
【００９１】
いくつかの例証的実施形態において、モビリティマネージャ１６２及び／またはモビリティアンカー１５８は、新たなＩＰセッションがＩＰセッション連続性を要求するか否かを、例えばディープパケットインスペクション方法を通して等、ＩＰセッションのセットアップを分析することに基づいて決定してよい。
【００９２】
いくつかの例証的実施形態において、モビリティマネージャ１６２及び／またはモビリティアンカー１５８は、新たなＩＰセッションの制御フローを検査するべく、ディープパケットインスペクションを実行してよい。一例において、マルチメディア会議トラフィックは、セッション開始プロトコル（ＳＩＰ）トラフィックを分析すること、及び必要とされる複数のサービスの種類を特定すること、及びＩＰセッションのリアルタイムトランスポートプロトコル（ＲＴＰ）及び／またはＲＴＰ制御プロトコル（ＲＴＣＰ）特性によって検出されてよい。
【００９３】
いくつかの例証的実施形態において、新たなＩＰセッションがＩＰセッション連続性を要求するか否かを、ＩＰセッションのセットアップを分析することに基づいて決定することは、ＩＰセッション連続性を必要とする複数のＩＰセッションとＩＰセッション連続性を必要としない複数のＩＰセッションとの間において、例えばセッション毎の単位で、改善されたレベルの区別を可能にし得る。しかし、ＩＰセッションのセットアップを分析することは、例えばトラフィックを遅延させることなく、比較的洗練されたレベルのディープパケットインスペクションを要求してよく、及び／または複数のセッション特性及び必要とされる複数のサービスの種類を用いてセッションデータベースを保持することを要求してよい。
【００９４】
いくつかの例証的実施形態において、モビリティマネージャ１６２及び／またはモビリティアンカー１５８は、例えば、サーバ側またはクライアント側が、以下で説明するように、ＩＰセッション連続性が必要とされるべきか否かを特定するように構成されている場合、ＩＰセッション連続性がそのＩＰセッションに対し維持されるべきか否かを示す情報を受信し得る。
【００９５】
いくつかの例証的実施形態において、モバイルデバイス１０２は、モバイルデバイス１０２のためにセットアップされるべきＩＰセッションに対しＩＰセッション連続性が維持されるべきか否かを示す情報、例えばＩＰセッション連続性の必要性がクライアント側によって検出されているかをモビリティマネージャ１６２に提供するように構成され得る。
【００９６】
いくつかの例証的実施形態において、アプリケーション１４７のソケットインタフェースルーチンは、例えば、ＩＰセッション連続性が必要とされるかまたは必要とされないかを示す等、ＩＰセッションに対して要求されるサービスアプリケーション１４７の種類を含むように構成され得る。アプリケーション１４７のソケット層は、例えば動的ホスト構成プロトコル（ＤＨＣＰ）サーバ１６１、ドメインネームシステム（ＤＮＳ）サーバ（図示せず）、または任意の他のサーバ等、システム１００のサーバへの疑似リクエストを生成し得る。疑似リクエストは、ＩＰセッションのＩＰセッション連続性必須条件の指示を含んでよい。モビリティマネージャ１６２は、疑似リクエストを傍受するように構成されてよく、ＩＰセッション連続性がそのＩＰセッションに対して、例えば傍受された疑似リクエストに基づいて維持されるべきか否かを決定してよい。
【００９７】
いくつかの例証的実施形態において、サーバ１８０は、モビリティマネージャ１６２に、例えば、ＩＰセッション連続性の必要性がサーバ側によって検出されている場合、ＩＰセッション連続性がモバイルデバイス１０２に対してセットアップされるＩＰセッションに対して維持されるべきか否かを示す情報を提供するように構成され得る。
【００９８】
一例において、サーバ１８０は、ＩＰセッションの複数のＩＰセッション連続性必須条件の指示（「連続性情報」）を含む疑似パケットを生成し得る。サーバ１８０は、例えばモバイルデバイス１０２等、クライアント側へと疑似パケットを送信してよい。モビリティマネージャ１６２は、疑似パケットを傍受するように構成されてよく、ＩＰセッション連続性がそのＩＰセッションに対して、例えば傍受された疑似リクエストに基づいて維持されるべきか否かを決定してよい。
【００９９】
他の例において、サーバ１８０は、ＤＮＳインフラストラクチャー（図示せず）へ連続性情報を送信してよく、モビリティマネージャ１６２は、ＤＮＳトラフィックのモニタリングを介して連続性情報を得てよい。この技術は、サーバ１８０がＤＮＳインフラストラクチャーへ連続性情報を一度のみアップロードすることを可能にし得る。
【０１００】
いくつかの例証的実施形態において、モビリティマネージャ１６２は、例えば、以下で説明するように、モバイルデバイス１０２及び／またはサーバ１８０にトランスペアレントであってよい方式において、ＩＰセッションを選択的にセットアップしそのＩＰセッション連続性を保証することによって、または保証しないことによって、モバイルデバイス１０２に対し新たなＩＰセッションをセットアップすることを管理するように構成され得る。
【０１０１】
いくつかの例証的実施形態において、インタフェース１６４は、例えば上記にて説明されるように、モバイルデバイス１０２に対し通信セッションをセットアップするリクエストを受信してよい。
【０１０２】
いくつかの例証的実施形態において、モビリティマネージャ１６２は、例えば、モバイルデバイス１０２の複数のＩＰセッションのサービスタイプに従って、モバイルデバイス１０２がＩＰセッション連続性を要求するか否かのトラフィックアクティビティをホスティングしているか否かを追跡してよい。
【０１０３】
いくつかの例証的実施形態において、コントローラ１６６は、ＩＰセッション連続性が通信セッションに対し維持されるべきである場合、通信セッションに対しセッション接続を設定し、ＩＰセッション連続性を保証することを選択するように構成されてよく、ＩＰセッション連続性が通信セッションに対して維持されるべきでない場合、ＩＰセッション連続性保証無しでセッション接続を設定することを選択するように構成されてよい。
【０１０４】
いくつかの例証的実施形態において、コントローラ１６６は、ＩＰセッション連続性が通信セッションに対して維持されるべきか否かを決定してよい。
【０１０５】
いくつかの例証的実施形態において、コントローラ１６６は、ＩＰセッション連続性が、例えば上記にて説明されるように、通信セッションの間に通信にされるトラフィックの種類に基づいて、通信セッションに対して維持されるべきか否かを決定してよい。
【０１０６】
いくつかの例証的実施形態において、コントローラ１６６は、ＩＰセッション連続性が、例えば上記にて説明されるように、モバイルデバイス１０２の種類に基づいて、通信セッションに対して維持されるべきか否かを決定してよい。
【０１０７】
いくつかの例証的実施形態において、コントローラ１６６は、ＩＰセッション連続性が、例えば上記にて説明されるように、通信セッションパケットの複数のコンテンツに基づいて、通信セッションに対して維持されるべきか否かを決定してよい。
【０１０８】
いくつかの例証的実施形態において、コントローラ１６６は、ＩＰセッション連続性が、例えば上記にて説明されるように、パケットのＩＰヘッダに基づいて、通信セッションに対して維持されるべきか否かを決定してよい。
【０１０９】
いくつかの例証的実施形態において、通信セッションに対してＩＰセッション連続性が維持されるべきか否かの判断は、システム１００の他の要素でされ得る。これらの実施形態に従って、インタフェース１６４は、ＩＰセッション連続性が通信セッションに対して維持されるべきか否かを示すメッセージを受信してよい。
【０１１０】
いくつかの例証的実施形態において、メッセージは、例えば、上記にて説明されるように、コントローラ１４５及び／またはアプリケーション１４７が、ＩＰセッション連続性が通信セッションに対して維持されるべきか否かを決定するように構成されている場合、モバイルデバイス１０２から送信され得る。
【０１１１】
いくつかの例証的実施形態において、メッセージは、例えば上記にて説明されるように、サーバ１８０が、ＩＰセッション連続性が通信セッションに対して維持されるべきか否か決定するように構成されている場合、例えば、その通信セッションの間にモバイルデバイス１０２と通信する通信サーバ１８０等のサーバから送信され得る。
【０１１２】
いくつかの例証的実施形態において、コントローラ１６６は、モビリティアンカー１５８に、例えばコントローラ１６６がＩＰセッション連続性を保証するようにセッション接続を設定することを選択する場合のみ、セッション接続に対するルーティングオーバーライドをセットアップすることを要求してよい。
【０１１３】
一例において、モビリティマネージャ１６２は、例えば、ＩＰセッションがＩＰセッション連続性を要求し、モバイルデバイス１０２がルーティングサポートを要求するハンドオフを実行している場合、モビリティアンカー１５８にそのＩＰセッションに対するルーティングオーバーライドを作成するように要求してよい。モビリティマネージャ１６２は、例えば、ハンドオフの間にＩＰセッション連続性を要求するアクティブなセッションが無い場合、モビリティアンカーにルーティングオーバーライドを作成することを要求しないことを選択してよい。従って、新たなＩＰアドレスが、ハンドオフの結果としてモバイルノードデバイス１０２に割り当てられるであろう。
【０１１４】
いくつかの例証的実施形態において、モビリティマネージャ１６２に、モバイルデバイス１０２のＩＰセッションに対しＩＰセッション連続性を保証すること、または保証しないことの間で選択させることは有利であってよく、例えば、モバイルデバイス１０２、モバイルデバイス１０２のネットワーキングスタック、モバイルデバイス１０２によってホスティングされる複数のアプリケーション、及び／またはサーバ１８０にトランスペアレントである選択をすることによって、有利であってよい。
【０１１５】
いくつかの例証的実施形態において、モビリティマネージャ１６２は、それぞれのモバイルデバイス毎に各セッション開始及び終了、及び各ＩＰセッションに対してＩＰセッション連続性を提供する、または提供しない選択を追跡するように構成されてよい。
【０１１６】
いくつかの例証的実施形態において、モビリティマネージャ１６２は、例えば以下で説明するように、ＩＰセッション連続性を保証するように構成された第１のセッション接続、及びそれと同様にＩＰセッション連続性を保証しないように構成された第２のセッションの両方を、ＩＰセッションに対してセットアップすることによってモバイルデバイス１０２に対するＩＰセッションのセットアップを管理するように構成されてよい。これらの実施形態に従って、モバイルデバイス１０２は、例えばＩＰセッション連続性がＩＰセッションに対して維持されるべきか否かに基づいて、どのセッション接続を使用するべきかを選択してよい。
【０１１７】
いくつかの例証的実施形態において、モビリティマネージャ１６２は、第１のＩＰアドレスに対応する第１のセッション接続、及び第２のＩＰアドレスに対応する第２のセッション接続を構成してよい。
【０１１８】
いくつかの例証的実施形態において、第１のＩＰアドレスは、例えば、複数のハンドオフイベントの後でも存在するように構成されてよく、第２のＩＰアドレスは、複数のハンドオフイベントの間で保証されなくてよい。
【０１１９】
いくつかの例証的実施形態において、無線機１４３は、例えば無線アクセスネットワーク１５０のＢＳに、例えば、サーバ１８０を用いて通信セッションをセットアップすることを要求するアプリケーション１４７からのリクエストに応答して、通信セッションをセットアップするセッションセットアップリクエストを送信してよい。
【０１２０】
いくつかの例証的実施形態において、セッションセットアップリクエストは、例えば、以下で説明するように、ＰＤＮ接続リクエストを含んでよい。
【０１２１】
いくつかの例証的実施形態において、インタフェース１６４は、例えばアクセスネットワーク１５０を介して、モバイルデバイス１０２に対する通信セッションをセットアップするリクエストを受信してよい。
【０１２２】
いくつかの例証的実施形態において、コントローラ１６６は、第１のセッション接続がＩＰセッション連続性を維持（保証）するように構成し、第２のセッションがＩＰセッション連続性を維持（保証）しないように構成され得る。第１のセッション接続は、第１のＩＰアドレスで割り当てられてよく、第２のセッション接続は第１のＩＰアドレスとは異なる第２のＩＰアドレスで割り当てられてよい。
【０１２３】
いくつかの例証的実施形態において、第１及び第２のＩＰアドレスは、ＤＨＣＰサーバ１６１またはコアネットワーク１６０の任意の他のエンティティによって提供される複数のアドレスを含んでもよい。
【０１２４】
いくつかの例証的実施形態において、コントローラ１６６は、ＤＨＣＰ１６１に第１及び第２のＩＰアドレスを設定するよう要求してよい。
【０１２５】
いくつかの例証的実施形態において、モビリティマネージャ１６２は、ＤＨＣＰサーバ１６１に、第１及び第２のＩＰアドレスをセットアップするリクエストを送信してよい。そのリクエストは、第１のＩＰアドレスがＩＰセッション連続性を保証するために用いられることになっており、一方で第２のＩＰアドレスがＩＰセッション連続性を保証しないことになっているという指示を含んでよい。
【０１２６】
いくつかの例証的実施形態において、ＤＨＣＰサーバ１６１は、モビリティマネージャ１６２からのリクエストを受信してよく、ＤＨＣＰサーバ１６１は、第１及び第２のＩＰアドレスを生成してよい。ＤＨＣＰサーバ１６１は、例えば、モビリティマネージャ１６２に、及び／またはシステム１００の１または複数の要素に、第１及び第２のＩＰアドレスを含む少なくとも１つのアドレス割り当てメッセージを送信してよい。
【０１２７】
いくつかの例証的実施形態において、ＤＨＣＰサーバ１６１は、ＤＨＣＰサーバ１６１によって提供されるＩＰアドレスに関して、ＩＰアドレスがＩＰセッション連続性を保証するように構成されているか、またはＩＰセッション連続性を保証するように構成されていないかを示すように構成され得る。
【０１２８】
いくつかの例証的実施形態において、例えば、コントローラ１６６は、モビリティアンカー１５８に第２のセッション接続に対しルーティングオーバーライドをセットアップするように要求しないことを選択してよい一方で、コントローラ１６６は、モビリティアンカー１５８に、第１のセッション接続に対しルーティングオーバーライドをセットアップすることを要求してよい。
【０１２９】
いくつかの例証的実施形態において、第１及び第２アドレスは、第１及び第２の各ＰＤＮ接続にそれぞれ対応してよく、それらの両方は、例えば以下で説明するように、同じサービスタイプまたは同じセッションに対応してよい。
【０１３０】
いくつかの例証的実施形態において、第１ＰＤＮ接続は、以下で説明するように、例えばＰＧＷ等の第１ＧＷで終了してよく、第２ＰＤＮ接続は、例えばＬＧＷ等の第２ＧＷで終了してよい。
【０１３１】
いくつかの例証的実施形態において、無線機１４３は、例えばセッションセットアップリクエストに応答して、セッションセットアップ応答を、例えばアクセスネットワーク１５０のＢＳを介して、受信してよい。セッションセットアップ応答は、第１及び第２のセッション接続に割り当てられた第１及び第２のＩＰアドレスを含んでよい。
【０１３２】
いくつかの例証的実施形態において、セッションセットアップ応答は、例えば、ＰＤＮ接続応答を含んでよい。
【０１３３】
いくつかの例証的実施形態において、コントローラ１４５は、例えば上記にて説明されるように、例えば、ＩＰセッション連続性が通信セッションに対して維持されるべきである場合、その通信セッションに対し第１のＩＰアドレスを使用することを選択し、例えば、ＩＰセッション連続性が通信セッションに対して維持されない場合、その通信セッションに対し第２のＩＰアドレスを使用することを選択するように構成されてよい。
【０１３４】
いくつかの例証的実施形態において、コントローラ１４５は、例えば、上記にて説明されるように、例えば、通信セッションの間に通信されるトラフィックの１または複数の属性に基づいて、第１と第２のＩＰアドレスとの間で選択されるように構成され得る。
【０１３５】
いくつかの例証的実施形態において、コントローラ１４５は、ＩＰセッション連続性が通信セッションに対して保証されるべきか否かを示す指示をアプリケーション１４７から受信してよい。これらの実施形態に従って、コントローラ１４５は、例えば、アプリケーション１４７からの指示に基づいて、第１のＩＰアドレスと第２のＩＰアドレスとの間で選択してよい。
【０１３６】
一例において、アプリケーション１４７は、通信セッションにおける空きの間で、第１のＩＰアドレスを使用するべくＩＰセッション連続性を持つソケット、または第２のＩＰアドレスを使用するべく、ＩＰセッション連続性を保証しないソケットを選択してよい。
【０１３７】
いくつかの例証的実施形態において、コントローラ１４５は、例えば、アプリケーション１４７の種類等、通信セッションに使用されるべきアプリケーションの種類に基づいて、第１のＩＰアドレスと第２のＩＰアドレスとの間で選択するように構成されてよい。
【０１３８】
いくつかの例証的実施形態において、モバイルデバイス１０２が第１のＩＰアドレスと第２のＩＰアドレスとの間で選択することを可能にすることは、例えば、アプリケーション１４７が異なる複数のＩＰセッション連続性必須条件を持つ複数のソケットを開くように構成されている場合、アプリケーション単位で、あるいはセッション単位でも、ＩＰセッション連続性を選択的に保証することを可能にし得る。
【０１３９】
いくつかの例証的実施形態に従って、モバイルデバイス２０２とネットワーク２８０との間でＩＰセッション連続性を用いる、接続の複数の通信経路を模式的に示す図２Ａ、及びモバイルデバイス２０２とネットワーク２８０との間のＩＰセッション連続性を持たない接続の複数の通信経路を模式的に示す図２Ｂを参照する。
【０１４０】
いくつかの例証的実施形態において、ＩＰセッション連続性を保証するセッション接続は、ＵＥ２０２がそのセッション接続を介して、例えば、モバイルデバイス２０２が複数のネットワークの間でハンドオーバされるときでも連続性を維持することを可能にする。例えば、図２Ａに示されるように、モビリティアンカー２５８は、例えばモビリティマネージャ２６２によって、セッション接続に対してルーティングオーバーライドを実行するように構成され得、それによって、そのセッション接続は、例えばモバイルデバイスが第１ルータ２５２に関連付けられる第１ＢＳ２５１で通信される場合、モビリティアンカー２５８を介して、第１通信経路２９３を使用し得る。セッション接続は、例えば、モバイルデバイスが第２ルータ２５４に関連付けられる第２ＢＳ３５２にハンドオフされる場合、モビリティアンカー２５８を介して第２通信経路２９４を使用してよい。
【０１４１】
これらの実施形態に従って、モビリティアンカー２５８は、例えばモバイルデバイス２０２のハンドオフの後でも、ルーティングオーバーライドを使用し、セッション接続の連続性を維持してよい。
【０１４２】
図２Ｂに示されるように、ＩＰセッション連続性を保証するセッション接続と比べて、ＩＰセッション連続性を保証しない接続は、例えばモバイルデバイス２０２が複数のネットワークの間でハンドオーバされる場合、モバイルデバイス２０２がセッション接続を介して連続性を維持することを可能にしてよい。例えば、図２Ｂに示されるように、モビリティアンカー２５８は、接続セッションに対してルーティングオーバーライドを提供しなくてよい。これらの実施形態に従って、セッション接続は、例えばモバイルデバイスが第１ＢＳ２５１で通信される場合、ルータ２５２に関連付けられる第１のＩＰアドレスでセットアップされている通信経路２９１を使用し得る。セッション接続は、例えばモバイルデバイス２０２が第２ＢＳ２５３にハンドオフされる場合、ルータ２５４に関連付けられる異なるＩＰアドレスでセットアップされている新たな通信経路２９２を使用しなければいけないかもしれない。
【０１４３】
いくつかの例証的実施形態において、モバイルデバイス２０２は、モバイルデバイス１０２の機能（図１）を実行してよく、モビリティアンカー２５８は、モビリティアンカー１５８の機能（図１）を実行してよく、モビリティマネージャ２６２は、モビリティマネージャ１６２の機能（図１）を実行してよく、及び／またはネットワーク２８０は、ネットワーク１８０の機能（図１）を実行してよい。
【０１４４】
いくつかの例証的実施形態に従って、ＩＰセッション連続性をＵＥ３０２に保証する第１ＳＧＷ３５２を介した第１パケットデータネットワーク（ＰＤＮ）接続、及びＵＥ３０２にＩＰセッション連続性を保証しない第１ＳＧＷ３５２を介した第２ＰＤＮ接続を模式的に示す図３Ａ、及びＵＥ３０２が第２ＳＧＷ３５３の範囲に移動する場合の第１及び第２ＰＤＮ接続を模式的に示す図３Ｂが参照される。
【０１４５】
いくつかの例証的実施形態において、図３Ａ及び３Ｂは、例えば以下で説明するように、ＬＴＥシステム３００の複数の要素を含んでよい。
【０１４６】
いくつかの例証的実施形態において、ＬＴＥシステム３００は、ローカルネットワークでの選択ＩＰトラフィックオフロード（ＳＩＰＴＯ@ＬＮ）機能を実装してよく、それは、極めて「平坦」な可能にネットワーク配置を許容し得る。例えば、ＬＴＥシステム３００は、例えばＬＧＷ３５１、３５４及び３５６を含む複数のＬＧＷを含んでよく、それは、例えば、ＳＧＷ３５２、３５３及び３５５を含む複数のＳＧＷに関連付けられ得る。例えば、ＬＧＷ３５１、３５４及び／または３５６は、ＳＧＷ３５２、３５３及び／または３５５にそれぞれ配置される。
【０１４７】
いくつかの例証的実施形態において、ＳＧＷ３５２、３５３及び３５３の各々は、例えばＰＧＷ３５８及び３５９を含むＬＴＥシステム３００の１または複数のＰＧＷへのアクセスを提供し得る。対照的に、ＳＧＷは、例えばＳＧＷで配置されたＬＧＷ機能等、１つのみのＬＧＷ機能へのアクセスを提供し得る。例えば、ＳＧＷ３５２は、ＬＧＷ３５１へ、そしてＰＧＷ３５８及び３５９の両方へのアクセスを提供してよく、ＳＧＷ３５３は、ＬＧＷ３５８へ、そしてＰＧＷ３５８及び３５９の両方へのアクセスを提供してよく、及び／またはＳＧＷ３５５は、ＬＧＷ３５６へ、そしてＰＧＷ３５８及び３５９の両方へのアクセスを提供してよい。
【０１４８】
いくつかの例証的実施形態において、ＬＴＥシステム３００はまた、ＭＭＥ３６２も含み、ＵＥ３０２に対して複数のＰＤＮ接続を管理してよい、及び／またはセットアップしてよい。例えば、ＵＥ３０２は、モバイルデバイス１０２（図１）の機能を実行してよく、及び／またはＭＭＥ３６２は、モビリティマネージャ１６２（図１）の機能を実行してよい。
【０１４９】
いくつかの例証的実施形態において、ＵＥ２０２は、１または複数のＰＤＮネットワークを持つ１または複数の確立されたＰＤＮ接続を有してよい。ＰＤＮ接続は、例えばＰＧＷまたはＬＧＷ機能等、モビリティアンカーにおいてホスティングされ得る、ＩＰアドレスに関連付けられ得る。
【０１５０】
いくつかの例証的実施形態において、ＰＧＷ機能は、例えば、ＰＧＷが進化型パケットコア（ＥＰＣ）ネットワーク内に「深く」位置され得ることから、ＩＰアドレス保存を要求する複数のＰＤＮ接続を確立するように利用されてよく、ほとんどの地理的位置からアクセス可能であってよい。これらの実施形態に従って、ＰＧＷは、ルーティングオーバーライドプロトコルを利用するように構成され得る。例えば、ＰＧＷ３５８及び３５９は、モビリティアンカー１５８（図１）の機能を実行してよい。対照的に、ＬＧＷ機能を介して確立されたＰＤＮ接続は、ＩＰアドレス保存を提供しなくてよい、及び／または多くの位置からアクセス可能でなくてもよい。
【０１５１】
いくつかの例証的実施形態において、ＵＥ３０２は、同じサービスに対して２つの確立されたＰＤＮ接続を有してよい。例えば、図３Ａに示されるように、ＵＥ３０２が第１のセルクラスタ３１１（「クラスタＡ」）のセル内に存在する場合、ＵＥ３０２はＳＧＷ３５２を介して通信してよい。例えば、ＩＰアドレス保存との第１ＰＤＮ接続は、例えばＰＧＷ３５８を介して、ＵＥ３０２に対して確立され得る。ＩＰアドレス保存を持たない第２ＰＤＮ接続は、例えばＬＧＷ３９２を介して、ＵＥ３０２に対して確立され得る。例えば、第１ＰＤＮ接続は、ＳＧＷ３５２及びＰＧＷ３５８を介した通信経路３９１を有してよく、第２ＰＤＮ接続は、ＳＧＷ３５２及びＬＧＷ３５１を介した通信経路３９２を有してよい。
【０１５２】
いくつかの例証的実施形態において、図３Ｂに示されるように、ＳＧＷ機能は、例えば、ＵＥ３０２が第２のセルクラスタ３１３（「クラスタＢ」）に属しているセルに移動した後に、ＳＧＷ３５２に再配置され得る。図３Ｂに示されるように、ＳＧＷ再配置にかかわらず、ＩＰアドレス保存を有し得る第１ＰＤＮ接続は、ＳＧＷ３５３及びＰＧＷ３５８を介した通信経路３９６を通して維持され得る。しかし、ＩＰアドレス保存を有していないかもしれない第２ＰＤＮ接続は、ＳＧＷ３５３及びＬＧＷ３５４を介した通信経路３９７を通して再確立される必要があってよい。ＬＧＷ機能におけるＬＧＷ３５２からＬＧＷ３５４までの変化は、第２ＰＤＮ接続に対してＩＰアドレスの変更を必要とし得る。このＩＰアドレスにおける変化は、第２ＰＤＮ接続を介してＩＰセッション連続性を可能にしなくてよい。
【０１５３】
いくつかの例証的実施形態において、ＵＥ１０２の複数のＰＤＮ接続は、同じＰＤＮに対する全てのＰＤＮ接続が同じＰＧＷまたはＬＧＷで終了される必要があるという必須条件によって限定されなくてよい。例えば、図３Ａ及び３Ｂに示されるように、ＵＥ３０２は、上記にて説明されるように、同じＰＤＮへアクセスを提供する第１及び第２ＰＤＮ接続を有してよく、一方で、第１ＰＤＮ接続は、例えばＰＧＷ３５８等のＰＧＷで終了し、第２ＰＤＮ接続は、例えばＬＧＷ３５１またはＬＧＷ３５４等のＬＧＷで終了する。
【０１５４】
いくつかの例証的実施形態において、第１及び第２ＰＤＮ接続の両方は、例えばＵＥ３０２からのＰＤＮ接続リクエストに応答して、例えば、ＵＥ３０２からの各ＰＤＮ接続リクエストに応答して、確立され得る。これらの実施形態に従って、ＵＥ３０２は、例えば、ＩＰアドレス保存が、例えば以下で説明するようにＰＤＮに接続するために必要とされるか否かに基づいて、第１ＰＤＮ接続または第２ＰＤＮ接続を使用するかを選択するように構成され得る。
【０１５５】
いくつかの例証的実施形態において、ＵＥ３０２は、クラスタ３１１のｅＮＢを介してＰＤＮ接続リクエストメッセージを送信し、例えばネットワーク１８０（図１）等、ＰＤＮを持つＩＰセッションに対する接続をセットアップするよう要求してよい。ＰＤＮ接続リクエストメッセージは、例えば、インフォメーションエレメント（ＩＥ）の一部として指示を含み、ＵＥ３０２が同じサービスタイプに割り当てられた複数のＩＰアドレスをハンドリングすることが可能であることを示してよい。
【０１５６】
いくつかの例証的実施形態において、ＵＥ３０２は、クラスタ３１１のｅＮＢを介してＰＤＮ接続受諾メッセージを受信してよい。ＰＤＮ接続受諾メッセージは、ＭＭＥ３６２またはシステム１００の任意の他の要素によって生成され得る。例えば、ＭＭＥ３６２は、例えば、同じサービスタイプに割り当てられる複数のＩＰアドレスをハンドリングすることが可能なＵＥからの各ＰＤＮ接続リクエストに応答して、第１ＰＤＮ接続がＩＰセッション連続性を保証し、且つ第２ＰＤＮ接続がＩＰセッション連続性を保証しないようにセットアップするように構成され得る。
【０１５７】
いくつかの例証的実施形態において、ＰＤＮ接続受諾メッセージは、例えば、ＩＥの一部として、例えば指示を含み、２つのＰＤＮ接続がＰＤＮ接続リクエストに対して確立されていることを示してよい。
【０１５８】
いくつかの例証的実施形態において、ＰＤＮ接続受諾メッセージは、例えば、複数のＰＤＮ接続の各々に関連付けられるＩＰアドレスを含んでもよい。ＰＤＮ接続受諾メッセージは、また、例えば、２つのＩＰアドレスのうちの第１のＩＰアドレスが、例えばＩＰセッション連続性を保証するべく、ＩＰアドレス保存を提供するように構成され、２つのＩＰアドレスのうちの第２のＩＰアドレスが、例えばＩＰセッション連続性を保証することが可能でない、ＩＰアドレス保存を提供するように構成されているという指示も含んでよい。
【０１５９】
いくつかの例証的実施形態において、ＵＥ３０２は、２つのＰＤＮ接続のうちＰＤＮ接続を選択し、例えば、ＩＰセッション連続性がＩＰセッションのトラフィックに対して維持されるべきか否かに基づいて、そのＩＰセッションのトラフィックを通信するように構成され得る。
【０１６０】
他の例証的実施形態において、ＵＥ３０２は、例えばＰＤＮ接続リクエストの一部として、ＰＤＮリクエストがＩＰアドレス保存を提供するものであるか否かを示してよく、ＰＤＮ接続は、例えば以下で説明するように、それに従って、セットアップしてよい。
【０１６１】
いくつかの例証的実施形態において、ＵＥ３０２は、クラスタ３１１のｅＮＢを介してＰＤＮ接続リクエストメッセージを送信し、ＩＰセッションに対する接続のセットアップを要求してよい。ＰＤＮ接続リクエストメッセージは、例えば、ＰＤＮリクエストメッセージのインフォメーションエレメント（ＩＥ）の一部として、例えば指示を含み、要求されたＰＤＮ接続がＩＰアドレス保存を用いてまたは用いずにセットアップされるべきか示してよい。これらの実施形態に従って、ＭＭＥ３６２は、例えば単一ＰＤＮ接続等のＰＤＮ接続を、ＵＥ３０２からの指示に従ってセットアップしてよい。例えば、ＰＧＷ３５８を介して、例えば、ＵＥ３０２からのＰＤＮ接続リクエストが、ＩＰセッション連続性が保証されるべきであることを示す場合、ＭＭＥ３６２はＰＤＮ接続をセットアップしてよく、または、例えば、ＵＥ３０２からのＰＤＮ接続リクエストが、ＩＰセッション連続性が保証されないべきであることを示す場合、ＭＭＥ３６２がＬＧＷ３９２を介してＰＤＮ接続をセットアップしてよい。
【０１６２】
いくつかの例証的実施形態に従って、ＩＰセッション連続性を選択的に提供する方法を模式的に示す図４が参照される。いくつかの実施形態において、図４の方法の複数のオペレーションの１または複数は、例えばシステム１００（図１）等のワイヤレス通信システム、例えばモバイルデバイス１０２（図１）等のモバイルデバイス、ＵＥ２０２（図２Ａ及び２Ｂ）、ＵＥ３０２（図３Ａ及び３Ｂ）、または例えばモビリティマネージャ１６２（図１）等のモビリティマネージャ、モビリティマネージャ２６２（図２Ａ及び２Ｂ）、またはＭＭＥ３６２（図３Ａ及び３Ｂ）等によって実行され得る。
【０１６３】
ブロック４０２に示されるように、当該方法は、モバイルデバイスに対する通信セッションをセットアップするリクエストを、モビリティマネージャで受信する段階を含んでよい。例えば、インタフェース１６４（図１）は、例えば上記にて説明されるように、モバイルデバイス１０２（図１）に対するＩＰセッションをセットアップするよう要求するリクエストを受信してよい。
【０１６４】
ブロック４０４で示されるように、いくつかの例証的実施形態において、当該方法は、ＩＰセッション連続性が通信セッションに対して保証されるべきか否かを決定する段階を含んでもよい。例えば、コントローラ１６６（図１）は、例えば上記にて説明されるように、ＩＰセッション連続性が、通信セッションに対して保証されるべきか否かを、通信セッションの間に通信されるトラフィックの種類に基づいて、モバイルデバイスの種類に基づいて、及び／または通信セッションのパケットのコンテンツに基づいて決定してよい。
【０１６５】
ブロック４０６で示されるように、いくつかの例証的実施形態において、当該方法は、ＩＰセッション連続性が通信セッションに対して保証されるべきか否かを示すメッセージを受信する段階を含んでよい。例えば、インタフェース１６４（図１）は、ＩＰセッション連続性が通信セッションに対して保証されるべきか否かを示すメッセージを受信してよい。メッセージは、例えば、モバイルデバイスからのメッセージ、またはサーバからのメッセージを含んでよく、そのメッセージは、例えば上記にて説明されるように、その通信セッションの間にモバイルデバイスを用いて通信される。
【０１６６】
ブロック４０７で示されるように、当該方法は、ＩＰセッション連続性必須条件に基づいて、通信セッションに対するセッション接続を選択的に設定する段階を含んでよい。
【０１６７】
ブロック４０８で示されるように、当該方法は、ＩＰセッション連続性が通信セッションに対して保証されるべきである場合、通信セッションに対してＩＰセッション連続性を保証するようにセッション接続を設定することを選択する段階を含んでよい。  例えば、コントローラ１６６(図１)は、例えば上記にて説明されるように、ＩＰセッション連続性が通信セッションに対して保証されるべきである場合、ＩＰセッション連続性を保証するように通信セッションに対してセッション接続を設定することを選択してよい。
【０１６８】
ブロック４１０で示されるように、当該方法は、ＩＰセッション連続性が通信セッションに対して保証されないべきである場合、ＩＰセッション連続性保証無しでそのセッション接続を設定することを選択する段階を含んでよい。例えば、コントローラ１６６（図１）は、例えば上記にて説明されるように、通信セッションに対しＩＰセッション連続性が保証されないべきである場合、ＩＰセッション連続性保証無しでそのセッション接続を設定することを選択してよい。
【０１６９】
ブロック４１２で示されるように、当該方法は、ＩＰセッション連続性を保証するようにセッション接続を設定することを選択する場合のみ、モビリティアンカーが、そのセッション接続に対するルーティングオーバーライドをセットアップするように要求する段階を含んでよい。例えば、コントローラ１６６(図１)は、例えば上記にて説明されるように、ＩＰセッション連続性を保証するようにセッション接続を設定することを選択する場合のみ、モビリティアンカー１５８（図１）が、そのセッション接続に対するルーティングオーバーライドをセットアップするように要求してよい。
【０１７０】
いくつかの例証的実施形態に従って、ＩＰセッション連続性を選択的に提供する方法を模式的に示す図５が参照される。いくつかの実施形態において、図５の方法の複数のオペレーションの１または複数は、例えばシステム１００（図１）等のワイヤレス通信システム、例えばモバイルデバイス１０２（図１）等のモバイルデバイス、ＵＥ２０２（図２Ａ及び２Ｂ）、ＵＥ３０２（図３Ａ及び３Ｂ）、または例えばモビリティマネージャ１６２（図１）等のモビリティマネージャ、モビリティマネージャ２６２（図２Ａ及び２Ｂ）、またはＭＭＥ３６２（図３Ａ及び３Ｂ）によって実行され得る。
【０１７１】
ブロック５０２で示されるように、当該方法は、通信セッションをセットアップするべく無線ネットワークにセッションセットアップリクエストを送信する段階を含んでよい。例えば、無線機１４３（図１）は、例えば上記にて説明されるように、サーバ１８０（図１）で通信セッションをセットアップするよう要求するリクエストをアクセスネットワーク１５０（図１）に送信してよい。
【０１７２】
ブロック５０４で示されるように、当該方法は、モビリティマネージャでセッションセットアップリクエストを受信する段階を含んでよい。例えば、インタフェース１６４（図１）は、例えば上記にて説明されるように、セッションセットアップリクエストを受信してよい。
【０１７３】
ブロック５０６で示されるように、当該方法は、ＩＰセッション連続性を維持するように構成された第１のセッション接続、及びＩＰセッション連続性を維持するように構成されていない第２のセッションを設定する段階を含んでよい。第１のセッション接続には、第１のＩＰアドレスが割り当てられてよく、第２のセッション接続には、第２のＩＰアドレスが割り当てられてよい。例えば、コントローラ１６６（図１）は、例えば上記にて説明されるように、第１及び第２のＩＰアドレスを設定してよい。
【０１７４】
ブロック５０８で示されるように、当該方法は、モビリティアンカーに第１のセッション接続に対するルーティングオーバーライドをセットアップするように要求する段階を含んでよい。例えば、コントローラ１６６（図１）は、例えば上記にて説明されるように、モビリティアンカー１５８（図１）に第１のＩＰアドレスに対するルーティングオーバーライドをセットアップするように要求し、第１のセッション接続に対しＩＰセッション連続性を保証してよい。
【０１７５】
ブロック５１０で示されるように、当該方法は、通信セッションに割り当てられた第１及び第２のＩＰアドレス、及び第１のＩＰアドレスはＩＰセッション連続性を維持するように構成されている指示を含むセッションセットアップ応答を送る段階を含んでよい。例えば、モビリティマネージャ１６２（図１）は、例えば上記にて説明されるように、セッションセットアップ応答を送信してよい。
【０１７６】
ブロック５１２で示されるように、当該方法は、通信セッションに割り当てられた第１及び第２のＩＰアドレスを含むセッションセットアップ応答、及び第１のＩＰアドレスはＩＰセッション連続性を維持するように構成されている指示をモバイルデバイスで受信する段階を含んでよい。例えば、無線機１４３（図１）は、例えば上記にて説明されるように、セッションセットアップ応答を受信してよい。
【０１７７】
ブロック５１４で示されるように、当該方法は、ＩＰセッション連続性が通信セッションに対して維持されるべきである場合、その通信セッションに対して第１のＩＰアドレスを使用することを選択する段階、またはＩＰセッション連続性が通信セッションに対して維持されるべきでない場合、その通信セッションに対して第２のＩＰアドレスを使用することを選択する段階を含んでよい。例えば、コントローラ１４５（図１）は、例えば上記にて説明されるように、ＩＰセッション連続性が保証されるべきである場合、第１のＩＰアドレスを使用することを選択してよく、あるいは、例えばＩＰセッション連続性が保証されるべきでない場合、第２のＩＰアドレスを使用することを選択してよい。
【０１７８】
図６は、いくつかの例証的実施形態に係る製造製品の概略図である。製品６００は、ロジック６０４を記憶する非一時的機械可読記憶媒体６０２を含んでよく、それは、例えば、モバイルデバイス１０２（図１）、モビリティマネージャ１６２（図１）、コントローラ１４５（図１）、及び／またはコントローラ１６６（図１）の機能の少なくとも一部を実行するべく用いられてよく、及び／または、図４及び／または図５の方法の複数のオペレーションの１または複数を実行するべく使用されてよい。「非一時的機械可読媒体」という用語は、一時的伝播信号のみを例外として、全てのコンピュータ可読媒体を含むように向けられている。
【０１７９】
いくつかの例証的実施形態において、製品６００及び／または機械可読記憶媒体６０２は、揮発性メモリ、不揮発性メモリ、リムーバブルまたは非リムーバブルメモリ、消去可能メモリまたは消去不可能メモリ、書き込み可能メモリまたは再書き込みメモリ等を含む、１または複数の種類のデータ記憶が可能なコンピュータ可読記憶媒体を含んでよい。例えば、機械可読記憶媒体６０２は、ＲＡＭ、ＤＲＡＭ、ダブルデータレートＤＲＡＭ（ＤＤＲ‐ＤＲＡＭ）、ＳＤＲＡＭ、スタティックＲＡＭ（ＳＲＡＭ）、ＲＯＭ、プログラマブルＲＯＭ（ＰＲＯＭ）、消去式プログラマブルＲＯＭ（ＥＰＲＯＭ）、電気的消去式プログラマブルＲＯＭ（ＥＥＰＲＯＭ）、コンパクトディスクＲＯＭ（ＣＤ‐ＲＯＭ）、コンパクトディスクレコーダブル（ＣＤ−Ｒ）、コンパクトディスクリライタブル（ＣＤ−ＲＷ）、フラッシュメモリ（例えばＮＯＲまたはＮＡＮＤフラッシュメモリ）、コンテンツアドレス指定可能なメモリ（ＣＡＭ）、ポリマーメモリ、フェーズ変更メモリ、強誘電体メモリ、シリコン酸化膜窒化膜酸化膜シリコン（ＳＯＮＯＳ）メモリ、ディスク、フロッピー（登録商標）ディスク、ハードドライブ、光ディスク、磁気ディスク、カード、磁気カード、光カード、テープ、カセット等を含んでよい。コンピュータ可読記憶媒体は、コンピュータプログラムを、遠隔コンピュータから、例えばモデム、無線機またはネットワーク接続等の通信リンクを介した搬送波または他の伝搬媒体において具現化された複数のデータ信号によって運ばれる要求しているコンピュータまでダウンロードまたは伝達することに関わる任意の適した媒体を含んでよい。
【０１８０】
いくつかの例証的実施形態において、ロジック６０４は、機械によって実行される場合、その機械に本明細書中に述べたような方法、プロセス及び／または複数のオペレーションを実行させてよい複数の命令、データ、及び／またはコードを含んでよい。当該機械は、例えば、任意の適した処理プラットフォーム、コンピューティングプラットフォーム、コンピューティングデバイス、プロセッシングデバイス、コンピューティングシステム、プロセッシングシステム、コンピュータ、プロセッサ等を含んでよく、ハードウェア、ソフトウェア、ファームウェア等の任意の好適な組み合せを用いて実装され得る。
【０１８１】
いくつかの例証的実施形態において、ロジック６０４は、ソフトウェア、ソフトウェアモジュール、アプリケーション、プログラム、サブルーチン、複数の命令、命令セット、演算コード、複数のワード、複数の値、複数の符号等を含んでよい、またはそれらとして実装され得る。複数の命令は、ソースコード、コンパイラ型コード、インタープリタ型コード、実行可能なコード、スタティックコード、ダイナミックコード、および類似物等、任意の好適なタイプのコードを含んでよい。複数の命令は、プロセッサにある機能を実行するように命令する、予め規定されるコンピュータ言語、方式または構文に従って実装され得る。複数の命令は、Ｃ、Ｃ＋＋、Ｊａｖａ（登録商標）、ＢＡＳＩＣ、ＭＡＴＬＡＢ、ＰＡＳＣＡＬ、ビジュアルＢＡＳＩＣ、アセンブリ言語、機械コード、および類似物等、任意の適した高レベル、低レベル、オブジェクト指向、ビジュアル、コンパイラ型及び／またはインタープリタ型プログラミング言語を用いて実装されてよい。例
【０１８２】
以下の例は、さらなる実施形態に関する。
【０１８３】
例１は、無線ネットワークを用いて通信する無線機、通信セッションをセットアップするべく、セッションセットアップリクエストを送信しそのセッションセットアップリクエストに応答して、通信セッションに割り当てられた第１のインターネットプロトコル（ＩＰ）アドレス及び第２のＩＰアドレスを含むセッションセットアップ応答を受信するための無線機と、第１のＩＰアドレスがＩＰセッション連続性を維持するように構成されているという指示と、及び通信セッションに対してＩＰセッション連続性が維持されるべきである場合、第１のＩＰアドレスを通信セッションに対して使用することを選択し、通信セッションに対してＩＰセッション連続性が維持されるべきでない場合、第２のＩＰアドレスを通信セッションに対して使用することを選択するためのコントローラを備えるモバイルデバイスを含む。
【０１８４】
例２は、例１の主題を含み、選択的に、コントローラが通信セッションの間に通信されるトラフィックの１または複数の属性に基づいて、第１のＩＰアドレスと第２のＩＰアドレスとの間で選択する。
【０１８５】
例３は、例１または２の主題を含み、選択的に、コントローラが、通信セッションを使用するアプリケーションの種類に基づいて第１ＩＰアドレスと第２のＩＰアドレスとの間で選択することになっている。
【０１８６】
例４は、例１‐３のいずれか一例の主題を含み、選択的に、第１及び第２のＩＰアドレスは、動的ホスト構成プロトコル（ＤＨＣＰ）サーバによって提供される複数のアドレスを備ええる。
【０１８７】
例５は、セッションセットアップリクエストを、第１メッセージを介して進化型ノードＢ（ｅＮＢ）に送信し、第２メッセージを介してｅＮＢからセッションセットアップ応答を受信するための無線機とユーザ機器（UE）である、例１―４のいずれか一例に記載の主題を含む。
【０１８８】
例６は、例１‐５のいずれか一例の主題を含み、選択的に、第１のＩＰアドレスは、第１パケットデータネットワーク（ＰＤＮ）接続のアドレスを備え、第２のＩＰアドレスは第２ＰＤＮ接続のアドレスを備える。
【０１８９】
例７は例６の主題を含み、選択的に、第１ＰＤＮ接続は第１ゲートウェイ（ＧＷ）で終了し、第２ＰＤＮ接続は、第２ＧＷで終了する。
【０１９０】
例８は、例７の主題を含み、選択的に、第１ＧＷはＰＤＮＧＷ（ＰＧＷ）を備え、第２ＧＷはローカルＧＷ（ＬＧＷ）を備える。
【０１９１】
例９は、例６‐８のいずれか一例の主題を含み、選択的に、セッションセットアップリクエストは、ＰＤＮ接続リクエストを備え、セッションセットアップ応答は、ＰＤＮ接続応答を備える。
【０１９２】
例１０は、例１‐９のいずれか一例の主題を含み、選択的に、１または複数のアンテナ、プロセッサ、メモリ、入力部、及び出力部を備える。
【０１９３】
例１１は、無線通信ネットワークにおけるモビリティマネージャを含み、そのモビリティマネージャは、モバイルデバイスに対して通信セッションをセットアップするリクエストを受信するインタフェース、及びＩＰセッション連続性が通信セッションに対して保証されるべきである場合、通信セッションに対するセッション接続がインターネットプロトコル（ＩＰ）セッション連続性を保証するように設定することを選択し、且つＩＰセッション連続性が通信セッションに対して保証されるべきでない場合、そのセッション接続がＩＰセッション連続性保証を用いないように設定することを選択するコントローラを備え、当該コントローラは、セッション接続がＩＰセッション連続性を保証するように設定することを選択する場合のみ、モビリティアンカーに、セッション接続に対するルーティングオーバーライドをセットアップするよう要求する。
【０１９４】
例１２は例１１の主題を含み、選択的に、コントローラは、ＩＰセッション連続性が通信セッションに対して保証されるべきか否かを決定する。
【０１９５】
例１３は、例１２の主題を含み、選択的に、コントローラは、ＩＰセッション連続性が通信セッションに対し、通信セッションの間に通信されるトラフィックの種類に基づいて、保証されるべきか否かを決定する。
【０１９６】
例１４は、例１２または１３の主題を含み、選択的に、コントローラは、ＩＰセッション連続性が通信セッションに対しモバイルデバイスの種類に基づいて保証されるべきか否かを決定する。
【０１９７】
例１５は、例１２―１４のいずれか一例の主題を含み、選択的に、コントローラは、ＩＰセッション連続性が通信セッションに対し、通信セッションのパケットの複数のコンテンツに基づいて保証されるべきか否かを決定する。
【０１９８】
例１６は、例１５の主題を含み、選択的に、コントローラは、ＩＰセッション連続性が通信セッションに対し、パケットのＩＰヘッダに基づいて保証されるべきか否か決定する。
【０１９９】
例１７は、例１１の主題を含み、選択的に、インタフェースは、ＩＰセッション連続性が通信セッションに対し保証されるべきか否かを示すメッセージを受信する。
【０２００】
例１８は例１７の主題を含み、選択的に、メッセージは、モバイルデバイスからのメッセージを備える。
【０２０１】
例１９は、例１７の主題を含み、選択的に、メッセージは通信セッションの間にモバイルデバイスを用いて通信するものである、サーバからのメッセージを備える。
【０２０２】
例２０は、モビリティ管理エンティティ（ＭＭＥ）である例１１―１９のいずれか一例の主題を含み、それにおいてモビリティアンカーは、パケットデータネットワーク（ＰＤＮ）ゲートウェイ（ＰＧＷ）を備え、モバイルデバイスはユーザ機器（ＵＥ）を備える。
【０２０３】
例２１は、例１１―２０のいずれか一例の主題を含み、選択的に、プロセッサ及びメモリを備える。
【０２０４】
例２２は、通信ネットワークにおけるモビリティマネージャを含み、当該モビリティマネージャは、モバイルデバイスに対する通信セッションをセットアップするリクエストを受信するためのインタフェース、及び第１のセッション接続がインターネットプロトコル（ＩＰ）セッション連続性を維持するように構成され、且つ第２のセッションがＩＰセッション連続性を維持するように構成されないように設定するためのコントローラを備え、第１のセッション接続には、第１のＩＰアドレスが割り当てられ、第２のセッション接続には、第２のＩＰアドレスが割り当てられており、コントローラは、モビリティアンカーに、第１のセッション接続に対するルーティングオーバーライドをセットアップするよう要求するものである。
【０２０５】
例２３は、例２２の主題を含み、選択的に、第１及び第２のＩＰアドレスは、動的ホスト構成プロトコル（ＤＨＣＰ）サーバによって提供される複数のアドレスを備える。
【０２０６】
例２４は、モビリティ管理エンティティ（ＭＭＥ）である例２２または２３の主題を含み、モビリティアンカーはパケットデータネットワーク（ＰＤＮ）ゲートウェイ（ＰＧＷ）を備え、モバイルデバイスは、ユーザ機器（ＵＥ）を備える。
【０２０７】
例２５は、２２―２４のいずれか一例の主題を含み、選択的に、第１のＩＰアドレスは、第１ＰＤＮ接続のアドレスを備え、第２のＩＰアドレスは、第２ＰＤＮ接続のアドレスを備える。
【０２０８】
例２６は、例２５の主題を含み、選択的に、第１ＰＤＮ接続は、第１ゲートウェイ（ＧＷ）で終了し、第２ＰＤＮ接続は、第２ＧＷで終了する。
【０２０９】
例２７は、例２６の主題を含み、選択的に、第１ＧＷはＰＧＷを備え、第２ＧＷはローカルＧＷ（ＬＧＷ）を備える。
【０２１０】
例２８は、例２５―２７のいずれか一例の主題を含み、選択的に、セッションセットアップリクエストは、ＰＤＮ接続リクエストを備え、セッションセットアップ応答はＰＤＮ接続応答を備える。
【０２１１】
例２９は、例２２―２８のいずれか一例の主題を含み、選択的に、プロセッサ及びメモリを備える。
【０２１２】
例３０は、通信セッションをセットアップするべく、無線ネットワークにセッションセットアップリクエストを送信する段階と、セッションセットアップリクエストに応答してセッションセットアップ応答を受信する段階とを備え、当該セッションセットアップ応答は、通信セッションに割り当てられた第１のインターネットプロトコル（ＩＰ）アドレス及び第２のＩＰアドレス、ならびに第１のＩＰアドレスがＩＰセッション連続性を維持するように構成されているという指示を有し、通信セッションに対してＩＰセッション連続性が維持されるべきである場合、第１のＩＰアドレスを通信セッションに対して使用することを選択する、あるいは通信セッションに対してＩＰセッション連続性が維持されるべきでない場合、第２のＩＰアドレスを通信セッションに対して使用することを選択する段階と、を備える、モバイルデバイスで実行される方法を含む。
【０２１３】
例３１は、例３０の主題を含み、選択的に、通信セッションの間に通信されるトラフィックの１または複数の属性に基づいて、第１のＩＰアドレスと第２のＩＰアドレスとの間で選択する段階を備える。
【０２１４】
例３２は、例３０または３１の主題を含み、選択的に、通信セッションを使用するためのアプリケーションの種類に基づいて、第１ＩＰアドレスと第２のＩＰアドレスとの間で選択する段階を備える。
【０２１５】
例３３は、例３０―３２のいずれか一例の主題を含み、選択的に、第１及び第２のＩＰアドレスは、動的ホスト構成プロトコル（ＤＨＣＰ）サーバによって提供される複数のアドレスを備える。
【０２１６】
例３４は、例３０―３３のいずれか一例の主題を含み、選択的に、モバイルデバイスは、ユーザ機器（ＵＥ）を備え、送信する段階は、第１メッセージを介してセッションセットアップリクエストを進化型ノードＢ（ｅＮＢ）に送信する段階を備え、受信する段階は、第２メッセージを介してセッションセットアップ応答をｅＮＢから受信する段階を備える。
【０２１７】
例３５は、例３０―３４のいずれか一例の主題を含み、選択的に、第１のＩＰアドレスは、第１パケットデータネットワーク（ＰＤＮ）接続のアドレスを備え、第２のＩＰアドレスは、第２ＰＤＮ接続のアドレスを備える。
【０２１８】
例３６は、例３５の主題を含み、選択的に、第１ＰＤＮ接続は、第１ゲートウェイ（ＧＷ）で終了し、第２ＰＤＮ接続は、第２ＧＷで終了する。
【０２１９】
例３７は、例３６の主題を含み、選択的に、第１ＧＷは、ＰＤＮＧＷ（ＰＧＷ）を備え、第２ＧＷはローカルＧＷ（ＬＧＷ）を備える。
【０２２０】
例３８は、例３５―３７のいずれか一例の主題を含み、選択的に、セッションセットアップリクエストは、ＰＤＮ接続リクエストを備え、セッションセットアップ応答は、ＰＤＮ接続応答を備える。
【０２２１】
例３９は、モバイルデバイスに対して通信セッションをセットアップするリクエストを受信する段階と、ＩＰセッション連続性が通信セッションに対して保証されるべきである場合、通信セッションに対するセッション接続がインターネットプロトコル（ＩＰ）セッション連続性を保証するように設定することを選択する段階と、ＩＰセッション連続性が通信セッションに対して保証されるべきでない場合、そのセッション接続がＩＰセッション連続性保証を持たないように構成することを選択する段階と、セッション接続がＩＰセッション連続性を保証するように設定することを選択する場合のみ、モビリティアンカーに、セッション接続に対するルーティングオーバーライドをセットアップするよう要求する段階と、を備える、無線通信ネットワークにおけるモビリティマネージャで実行される方法を含む。
【０２２２】
例４０は、例３９の主題を含み、選択的に、ＩＰセッション連続性が通信セッションに対して保証されるべきか否かを決定する段階を備える。
【０２２３】
例４１は、例４０の主題を含み、選択的に、ＩＰセッション連続性が、通信セッションの間に通信されるトラフィックの種類に基づいて、通信セッションに対して保証されるべきか否かを決定する段階を備える。
【０２２４】
例４２は、例４０または４１の主題を含み、選択的に、ＩＰセッション連続性が、モバイルデバイスの種類に基づいて、通信セッションに対して保証されるべきか否かを決定する段階を備える。
【０２２５】
例４３は、例４０―４２のいずれかの主題を含み、選択的に、ＩＰセッション連続性が、通信セッションのパケットの複数のコンテンツに基づいて、通信セッションに対して保証されるべきか否かを決定する段階を備える。
【０２２６】
例４４は、例４３の主題を含み、選択的に、ＩＰセッション連続性が、パケットのＩＰヘッダに基づいて、通信セッションに対して保証されるべきか否かを決定する段階を備える。
【０２２７】
例４５は、例３９の主題を含み、選択的に、ＩＰセッション連続性が、通信セッションに対して保証されるべきか否かを示すメッセージを受信する段階を備える。
【０２２８】
例４６は、例４５の主題を含み、選択的に、メッセージは、モバイルデバイスからのメッセージを備える。
【０２２９】
例４７は、例４５の主題を含み、選択的に、メッセージは、通信セッションの間にモバイルデバイスを用いて通信するものである、サーバからのメッセージを備える。
【０２３０】
例４８は、例３９―４７のいずれか一例の主題を含み、選択的に、モビリティマネージャは、モビリティ管理エンティティ（ＭＭＥ）を備え、モビリティアンカーはパケットデータネットワーク（ＰＤＮ）ゲートウェイ（ＰＧＷ）を備え、モバイルデバイスはユーザ機器（ＵＥ）を備える。
【０２３１】
例４９は、通信ネットワークにおけるモビリティマネージャによって実行される方法を含み、当該方法は、モバイルデバイスに対して通信セッションをセットアップするリクエストを受信する段階と、第１のセッション接続が、インターネットプロトコル（ＩＰ）セッション連続性を維持するように構成されるように設定する段階と、第２のセッション接続はＩＰセッション連続性を維持するように構成されないように設定する段階と、モビリティアンカーに第１のセッション接続に対するルーティングオーバーライドをセットアップするように要求する段階と、を備え、第１のセッション接続には第１のＩＰアドレスが割り当てられ、第２のセッション接続には第２のＩＰアドレスが割り当てられる。
【０２３２】
例５０は、例４９の主題を含み、選択的に、第１及び第２のＩＰアドレスは、動的ホスト構成プロトコル（ＤＨＣＰ）サーバによって提供される複数のアドレスを備える。
【０２３３】
例５１は、例４９または５０のいずれかの主題を含み、選択的に、モビリティマネージャは、モビリティ管理エンティティ（ＭＭＥ）を備え、モビリティアンカーはパケットデータネットワーク（ＰＤＮ）ゲートウェイ（ＰＧＷ）を備え、モバイルデバイスはユーザ機器（ＵＥ）を備える。
【０２３４】
例５２は、４９―５１のいずれか一例の主題を含み、選択的に、第１のＩＰアドレスは、第１ＰＤＮ接続のアドレスを備え、第２のＩＰアドレスは、第２ＰＤＮ接続のアドレスを備える。
【０２３５】
例５３は、例５２の主題を含み、選択的に、第１ＰＤＮ接続は第１ゲートウェイ（ＧＷ）で終了し、第２ＰＤＮ接続は第２ＧＷで終了する。
【０２３６】
例５４は、例５３の主題を含み、選択的に、第１ＧＷはＰＧＷを備え、第２ＧＷはローカルＧＷ（ＬＧＷ）を備える。
【０２３７】
例５５は、例５２―５４のいずれか一例の主題を含み、選択的に、セッションセットアップリクエストは、ＰＤＮ接続リクエストを備え、セッションセットアップ応答は、ＰＤＮ接続応答を備える。
【０２３８】
例５６は、少なくとも１つのコンピュータプロセッサによって実行される場合、当該少なくとも１つのコンピュータプロセッサが、無線ネットワークに通信セッションをセットアップするように要求するセッションセットアップリクエストを送信する段階と、セッションセットアップリクエストに応答してセッションセットアップ応答を受信する段階と、を備え、セッションセットアップ応答は、通信セッションに割り当てられた第１のインターネットプロトコル（ＩＰ）アドレス及び第２のＩＰアドレス、ならびに第１のＩＰアドレスがＩＰセッション連続性を維持するように構成されているという指示を有し、通信セッションに対してＩＰセッション連続性が維持されるべきである場合、第１のＩＰアドレスを通信セッションに対して使用することを選択する、あるいは通信セッションに対してＩＰセッション連続性が維持されるべきでない場合、第２のＩＰアドレスを通信セッションに対して使用することを選択する段階と、を備える方法をモバイルデバイスにおいて実装することを可能にするように動作可能であるコンピュータ実行可能な複数の命令を備える、１または複数の有形コンピュータ可読非一時的記憶媒体を有する製品を含む。
【０２３９】
例５７は、例５６の主題を含み、選択的に、当該方法は、通信セッションの間に通信されるトラフィックの１または複数の属性に基づいて、第１のＩＰアドレスと第２のＩＰアドレスとの間で選択する段階を備える。
【０２４０】
例５８は、例５６または５７の主題を含み、選択的に、当該方法は、通信セッションを使用するためのアプリケーションの種類に基づいて第１のＩＰアドレスと第２のＩＰアドレスとの間で選択する段階を備える。
【０２４１】
例５９は、例５６―５８のいずれか一例の主題を含み、選択的に、第１及び第２のＩＰアドレスは、動的ホスト構成プロトコル（ＤＨＣＰ）サーバによって提供される複数のアドレスを備える。
【０２４２】
例６０は、例５６―５９のいずれか一例の主題を含み、選択的に、モバイルデバイスは、ユーザ機器（ＵＥ）を備え、送信する段階は、第１メッセージを介してセッションセットアップリクエストを進化型ノードＢ（ｅＮＢ）に送信する段階を備え、受信する段階は、第２メッセージを介してセッションセットアップ応答をｅＮＢから受信する段階を備える。
【０２４３】
例６１は、例５６‐６０のいずれか一例の主題を含み、選択的に、第１のＩＰアドレスは、第１パケットデータネットワーク（ＰＤＮ）接続のアドレスを備え、第２のＩＰアドレスは第２ＰＤＮ接続のアドレスを備える。
【０２４４】
例６２は、例６１の主題を含み、選択的に、第１ＰＤＮ接続は第１ゲートウェイ（ＧＷ）で終了し、第２ＰＤＮ接続は第２ＧＷで終了する。
【０２４５】
例６３は、例６２の主題を含み、選択的に、第１ＧＷはＰＤＮＧＷ（ＰＧＷ）を備え、第２ＧＷはローカルＧＷ（ＬＧＷ）を備える。
【０２４６】
例６４は、例６１―６３のいずれか一例の主題を含み、選択的に、セッションセットアップリクエストは、ＰＤＮ接続リクエストを備え、セッションセットアップ応答は、ＰＤＮ接続応答を備える。
【０２４７】
例６５は、１または複数の有形コンピュータ可読非一時的記憶媒体を含む製品を含み、当該有形コンピュータ可読非一時的記憶媒体は、少なくとも１つのコンピュータプロセッサによって実行される場合、モバイルデバイスに対する通信セッションをセットアップするリクエストを受信する段階と、インターネットプロトコル（ＩＰ）セッション連続性が通信セッションに対して保証されるべきである場合、その通信セッションに対するセッション接続がＩＰセッション連続性を保証するように設定することを選択する段階と、ＩＰセッション連続性が保証されるべきでない場合、そのセッション接続をＩＰセッション連続性保証無しで設定することを選択する段階と、セッション接続がＩＰセッション連続性を保証するようにセッション接続を設定するように選択する場合のみ、モビリティアンカーにその通信セッションに対するルーティングオーバーライドをセットアップするように要求する段階と、を備える方法を、少なくとも１つのコンピュータプロセッサがモビリティマネージャにおいて実装することを可能にするように動作可能な複数のコンピュータ実行可能な命令を備える。
【０２４８】
例６６は、例６５の主題を含み、選択的に、当該方法は、ＩＰセッション連続性が通信セッションに対して保証されるべきか否かを決定する段階を備える。
【０２４９】
例６７は、例６６の主題を含み、選択的に、当該方法は、ＩＰセッション連続性が、通信セッションの間に通信されるトラフィックの種類に基づいて、通信セッションに対して保証されるべきか否かを決定する段階を備える。
【０２５０】
例６８は、例６６または６７の主題を含み、選択的に、当該方法は、ＩＰセッション連続性が、モバイルデバイスの種類に基づいて、通信セッションに対して保証されるべきか否かを決定する段階を備える。
【０２５１】
例６９は、例６６―６８のいずれか一例の主題を含み、選択的に、当該方法は、ＩＰセッション連続性が、通信セッションのパケットの複数のコンテンツに基づいて、通信セッションに対して保証されるべきか否かを決定する段階を備える。
【０２５２】
例７０は、例６９の主題を含み、選択的に、当該方法は、ＩＰセッション連続性が、パケットのＩＰヘッダに基づいて、通信セッションに対して保証されるべきか否かを決定する段階を備える。
【０２５３】
例７１は、例６５の主題を含み、選択的に、当該方法は、ＩＰセッション連続性が、通信セッションに対して保証されるべきか否かを示すメッセージを受信する段階を備える。
【０２５４】
例７２は、例７１の主題を含み、選択的に、メッセージは、モバイルデバイスからのメッセージを備える。
【０２５５】
例７３は、例７１の主題を含み、選択的に、メッセージは、通信セッションの間にモバイルデバイスを用いて通信するものである、サーバからのメッセージを備える。
【０２５６】
例７４は、例６５―７２のいずれか一例の主題を含み、選択的に、モビリティマネージャは、モビリティ管理エンティティ（ＭＭＥ）を備え、モビリティアンカーはパケットデータネットワーク（ＰＤＮ）ゲートウェイ（ＰＧＷ）を備え、モバイルデバイスはユーザ機器（ＵＥ）を備える。
【０２５７】
例７５は、１または複数の有形コンピュータ可読非一時的記憶媒体を含む製品を含み、当該有形コンピュータ可読非一時的記憶媒体は、少なくとも１つのコンピュータプロセッサによって実行される場合、モバイルデバイスに対する通信セッションをセットアップするリクエストを受信する段階と、第１のセッション接続がインターネットプロトコル（ＩＰ）セッション連続性を維持するように構成され、第２のセッションがＩＰセッション連続性を維持するように構成されないように設定する段階と、モビリティアンカーに第１のセッション接続に対してルーティングオーバーライドをセットアップするよう要求する段階と、を備え、第１のセッション接続には第１のＩＰアドレスが割り当てられ、第２のセッション接続には第２のＩＰアドレスが割り当てられる、方法を、少なくとも１つのコンピュータプロセッサがモビリティマネージャにおいて実装することを可能にするように動作可能な複数のコンピュータ実行可能な命令を備える。
【０２５８】
例７６は、例７５の主題を含み、選択的に、第１及び第２のＩＰアドレスは、動的ホスト構成プロトコル（ＤＨＣＰ）サーバによって提供される複数のアドレスを備える。
【０２５９】
例７７は、例７５または７６のいずれか一例の主題を含み、選択的に、モビリティマネージャは、モビリティ管理エンティティ（ＭＭＥ）を備え、モビリティアンカーはパケットデータネットワーク（ＰＤＮ）ゲートウェイ（ＰＧＷ）を備え、モバイルデバイスはユーザ機器（ＵＥ）を備える。
【０２６０】
例７８は、例７５―７７のいずれか一例の主題を含み、選択的に、第１のＩＰアドレスは、第１ＰＤＮ接続のアドレスを備え、第２のＩＰアドレスは、第２ＰＤＮ接続のアドレスを備える。
【０２６１】
例７９は、例７８の主題を含み、選択的に、第１ＰＤＮ接続は第１ゲートウェイ（ＧＷ）で終了し、第２ＰＤＮ接続は第２ＧＷで終了する。
【０２６２】
例８０は、例７９の主題を含み、選択的に、第１ＧＷはＰＧＷを備え、第２ＧＷはローカルＧＷ（ＬＧＷ）を備える。
【０２６３】
例８１は、例７８―８０のいずれか一例の主題を含み、選択的に、セッションセットアップリクエストは、ＰＤＮ接続リクエストを備え、セッションセットアップ応答は、ＰＤＮ接続応答を備える。
【０２６４】
例８２は、通信セッションをセットアップするべく、無線ネットワークにセッションセットアップリクエストを送信する手段と、セッションセットアップリクエストに応答してセッションセットアップ応答を受信する手段とを備え、当該セッションセットアップ応答は、通信セッションに割り当てられた第１のインターネットプロトコル（ＩＰ）アドレス及び第２のＩＰアドレス、ならびに第１のＩＰアドレスがＩＰセッション連続性を維持するように構成されている指示を含み、通信セッションに対してＩＰセッション連続性が維持されるべきである場合、第１のＩＰアドレスを通信セッションに対し使用することを選択し、あるいは通信セッションに対してＩＰセッション連続性が維持されるべきでない場合、第２のＩＰアドレスを通信セッションに対して使用することを選択する手段と、を備える装置を含む。
【０２６５】
例８３は、例８２の主題を含み、選択的に、通信セッションの間に通信されるトラフィックの１または複数の属性に基づいて、第１のＩＰアドレスと第２のＩＰアドレスとの間で選択するための手段を備える。
【０２６６】
例８４は、例８２または８３の主題を含み、選択的に、通信セッションを使用するためのアプリケーションの種類に基づいて、第１のＩＰアドレスと第２のＩＰアドレスとの間で選択するための手段を備える。
【０２６７】
例８５は、例８２―８４のいずれか一例の主題を含み、選択的に、第１及び第２のＩＰアドレスは、動的ホスト構成プロトコル（ＤＨＣＰ）サーバによって提供される複数のアドレスを備える。
【０２６８】
例８６は、ユーザ機器（ＵＥ）である例８２―８５のいずれか一例の主題を含み、送信することは、第１メッセージを介してセッションセットアップリクエストを進化型ノードＢ（ｅＮＢ）に送信することを備え、受信することは、第２メッセージを介してセッションセットアップ応答をｅＮＢから受信することを備える。
【０２６９】
例８７は、例８２‐８６のいずれか一例の主題を含み、選択的に、第１のＩＰアドレスは、第１パケットデータネットワーク（ＰＤＮ）接続のアドレスを備え、第２のＩＰアドレスは第２ＰＤＮ接続のアドレスを備える。
【０２７０】
例８８は、例８７の主題を含み、選択的に、第１ＰＤＮ接続は第１ゲートウェイ（ＧＷ）で終了し、第２ＰＤＮ接続は第２ＧＷで終了する。
【０２７１】
例８９は、例８８の主題を含み、選択的に、第１ＧＷはＰＤＮＧＷ（ＰＧＷ）を備え、第２ＧＷはローカルＧＷ（ＬＧＷ）を備える。
【０２７２】
例９０は、例８７―８９のいずれか一例の主題を含み、選択的に、セッションセットアップリクエストは、ＰＤＮ接続リクエストを備え、セッションセットアップ応答は、ＰＤＮ接続応答を備える。
【０２７３】
例９１は、モバイルデバイスに対して通信セッションをセットアップするリクエストを受信する手段と、ＩＰセッション連続性が通信セッションに対して保証されるべきである場合、通信セッションに対するセッション接続がインターネットプロトコル（ＩＰ）セッション連続性を保証するように設定することを選択するための手段と、ＩＰセッション連続性が通信セッションに対して保証されるべきでない場合、そのセッション接続がＩＰセッション連続性保証を持たないように構成することを選択する手段と、セッション接続がＩＰセッション連続性を保証するように設定することを選択する場合のみ、モビリティアンカーに、セッション接続に対するルーティングオーバーライドをセットアップするよう要求する手段と、を備える装置を含む。
【０２７４】
例９２は、例９１の主題を含み、選択的に、ＩＰセッション連続性が通信セッションに対して保証されるべきか否かを決定するための手段を備える。
【０２７５】
例９３は、例９２の主題を含み、選択的に、ＩＰセッション連続性が、通信セッションの間に通信されるトラフィックの種類に基づいて、通信セッションに対して保証されるべきか否かを決定するための手段を備える。
【０２７６】
例９４は、例９２または９３の主題を含み、選択的に、ＩＰセッション連続性が、モバイルデバイスの種類に基づいて通信セッションに対して保証されるべきか否かを決定するための手段を備える。
【０２７７】
例９５は、例９２―９４のいずれか一例の主題を含み、選択的に、ＩＰセッション連続性が、通信セッションのパケットの複数のコンテンツに基づいて、通信セッションに対して保証されるべきか否かを決定するための手段を備える。
【０２７８】
例９６は、例９５の主題を含み、選択的に、ＩＰセッション連続性が、パケットのＩＰヘッダに基づいて、通信セッションに対して保証されるべきか否かを決定する手段を備える。
【０２７９】
例９７は、例９１の主題を含み、選択的に、ＩＰセッション連続性が、通信セッションに対して保証されるべきか否かを示すメッセージを受信するための手段を備える。
【０２８０】
例９８は、例９７の主題を含み、選択的に、メッセージは、モバイルデバイスからのメッセージを備える。
【０２８１】
例９９は、例９７の主題を含み、選択的に、メッセージは、通信セッションの間にモバイルデバイスを用いて通信する、サーバからのメッセージを備える。
【０２８２】
例１００は、モビリティ管理エンティティ（ＭＭＥ）である例９１―９９のいずれか一例の主題を含み、それにおいてモビリティアンカーは、パケットデータネットワーク（ＰＤＮ）ゲートウェイ（ＰＧＷ）を備え、モバイルデバイスはユーザ機器（ＵＥ）を備える。
【０２８３】
例１０１は、モバイルデバイスに対して通信セッションをセットアップするリクエストを受信する手段と、第１のセッション接続が、インターネットプロトコル（ＩＰ）セッション連続性を維持するように構成されるように設定し、第２のセッションはＩＰセッション連続性を維持しないように構成されるように設定する手段と、モビリティアンカーに第１のセッション接続に対するルーティングオーバーライドをセットアップするように要求することと、を備え、第１のセッション接続には第１のＩＰアドレスが割り当てられ、第２のセッション接続には第２のＩＰアドレスが割り当てられる、装置を含む。
【０２８４】
例１０２は、例１０１の主題を含み、選択的に、第１及び第２のＩＰアドレスは、動的ホスト構成プロトコル（ＤＨＣＰ）サーバによって提供される複数のアドレスを備える。
【０２８５】
例１０３は、モビリティ管理エンティティ（ＭＭＥ）である例１０１または１０２の主題を含み、モビリティアンカーはパケットデータネットワーク（ＰＤＮ）ゲートウェイ（ＰＧＷ）を備え、モバイルデバイスは、ユーザ機器（ＵＥ）を備える。
【０２８６】
例１０４は、例１０１―１０３のいずれか一例の主題を含み、選択的に、第１のＩＰアドレスは、第１ＰＤＮ接続のアドレスを備え、第２のＩＰアドレスは、第２ＰＤＮ接続のアドレスを備える。
【０２８７】
例１０５は、例１０４の主題を含み、選択的に、第１ＰＤＮ接続は第１ゲートウェイ（ＧＷ）で終了し、第２ＰＤＮ接続は第２ＧＷで終了する。
【０２８８】
例１０６は、例１０５の主題を含み、選択的に、第１ＧＷはＰＧＷを備え、第２ＧＷはローカルＧＷ（ＬＧＷ）を備える。
【０２８９】
例１０７は、例１０４―１０６のいずれか一例の主題を含み、選択的に、セッションセットアップリクエストは、ＰＤＮ接続リクエストを備え、セッションセットアップ応答は、ＰＤＮ接続応答を備える。
【０２９０】
本明細書において１または複数の実施形態を参照して説明した機能、オペレーション、コンポーネント及び／または特徴は、本明細書で他の１または複数の他の実施形態を参照して説明した複数の他の機能、複数のオペレーション、複数のコンポーネント及び／または特徴の１または複数と組み合わせること、または組み合わせて利用されてよく、あるいはその逆もまた同様である。
【０２９１】
特定の特徴が本明細書において示され説明された一方で、多くの修正、置き換え、変更、及び均等物が当業者に想定され得る。  従って、添付の請求項は、そのような全ての修正および変更が、本開示の真の主旨内にあるとして包含することを意図していることは理解されるべきである。
【図１】
2016530754.tif 000003
【図４】
2016530754.tif 000004
【図５】
2016530754.tif 000005
【図６】
2016530754.tif 000006
【図２Ａ】
2016530754.tif 000007
【図２Ｂ】
2016530754.tif 000008
【図３Ａ】
2016530754.tif 000009
【図３Ｂ】
2016530754.tif 000010
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
無線ネットワークを用いて通信する無線機と、通信セッションをセットアップするべく、セッションセットアップリクエストを送信し、且つ前記セッションセットアップリクエストに応答して、前記通信セッションに割り当てられた第１のインターネットプロトコル（ＩＰ）アドレス及び第２のＩＰアドレス、及び前記第１のＩＰアドレスがＩＰセッション連続性を維持するという指示を有する、セッションセットアップ応答を受信する無線機と、前記通信セッションに対してＩＰセッション連続性が維持されるべきである場合、前記第１のＩＰアドレスを前記通信セッションに対して使用することを選択し、前記通信セッションに対してＩＰセッション連続性が維持されるべきでない場合、前記第２のＩＰアドレスを前記通信セッションに対して使用することを選択するコントローラと、を備える、モバイルデバイス。
【請求項２】
前記コントローラは、前記通信セッションの間に通信されるトラフィックの１または複数の属性に基づいて前記第１のＩＰアドレスと前記第２のＩＰアドレスとの間で選択する、請求項１に記載のモバイルデバイス。
【請求項３】
前記コントローラは、前記通信セッションを使用するためのアプリケーションの種類に基づいて前記第１のＩＰアドレスと前記第２のＩＰアドレスとの間で選択する、請求項１に記載のモバイルデバイス。
【請求項４】
ユーザ機器（ＵＥ）であって、前記無線機は、第１メッセージを介して、前記セッションセットアップリクエストを進化型ノードＢ（ｅＮＢ）に送信し、第２メッセージを介して、前記ｅＮＢから前記セッションセットアップ応答を受信する、請求項１に記載のモバイルデバイス。
【請求項５】
前記第１のＩＰアドレスは第１パケットデータネットワーク（ＰＤＮ）接続のアドレスを備え、前記第２のＩＰアドレスは、第２ＰＤＮ接続のアドレスを備える、請求項１から４のいずれか一項に記載のモバイルデバイス。
【請求項６】
前記第１ＰＤＮ接続は第１ゲートウェイ（ＧＷ）で終了し、前記第２ＰＤＮ接続は第２ＧＷで終了する、請求項５に記載のモバイルデバイス。
【請求項７】
前記第１ＧＷはＰＤＮＧＷ（ＰＧＷ）を備え、前記第２ＧＷは、ローカルＧＷ（ＬＧＷ）を備える、請求項６に記載のモバイルデバイス。
【請求項８】
前記セッションセットアップリクエストは、ＰＤＮ接続リクエストを備え、前記セッションセットアップ応答は、ＰＤＮ接続応答を備える、請求項５に記載のモバイルデバイス。
【請求項９】
１または複数のアンテナと、
プロセッサと、
メモリと、
入力部と、
出力部と、を備える、請求項１から４のいずれか一項に記載のモバイルデバイス。
【請求項１０】
無線通信ネットワークにおけるモビリティマネージャであって、
モバイルデバイスに対して通信セッションをセットアップするように要求するリクエストを受信するためのインタフェースと、
インターネットプロトコル（ＩＰ）セッション連続性が前記通信セッションに対して保証されるべきである場合、前記通信セッションに対するセッション接続がＩＰセッション連続性を保証するように設定することを選択し、ＩＰセッション連続性が前記通信セッションに対して保証されるべきでない場合、前記セッション接続がＩＰセッション連続性保証なしで設定することを選択するコントローラと、を備え、
前記コントローラは、前記セッション接続が前記ＩＰセッション連続性を保証するように設定することを選択する場合のみ、モビリティアンカーに、前記セッション接続に対するルーティングオーバーライドをセットアップするように要求する、モビリティマネージャ。
【請求項１１】
前記コントローラは、ＩＰセッション連続性が、前記通信セッションに対して保証されるべきか否かを決定する、請求項１０に記載のモビリティマネージャ。
【請求項１２】
前記コントローラは、ＩＰセッション連続性が、前記通信セッションの間に通信されるトラフィックの種類に基づいて、前記通信セッションに対して保証されるべきか否かを決定する、請求項１１に記載のモビリティマネージャ。
【請求項１３】
前記コントローラは、ＩＰセッション連続性が、前記通信セッションのパケットの複数のコンテンツに基づいて、前記通信セッションに対して保証されるべきか否かを決定する、請求項１１に記載のモビリティマネージャ。
【請求項１４】
前記インタフェースは、ＩＰセッション連続性が前記通信セッションに対して保証されるべきか否かを示すメッセージを受信する、請求項１０から１３のいずれか一項に記載のモビリティマネージャ。
【請求項１５】
前記モビリティアンカーは、パケットデータネットワーク（ＰＤＮ）ゲートウェイ（ＰＧＷ）を備え、前記モバイルデバイスはユーザ機器（ＵＥ）を備える、モビリティ管理エンティティ（ＭＭＥ）である、請求項１０から１３のいずれか一項に記載のモビリティマネージャ。
【請求項１６】
プロセッサと、
メモリと、を備える、請求項１０から１３のいずれか一項に記載のモビリティマネージャ。
【請求項１７】
通信ネットワークにおけるモビリティマネージャによって実行される方法であって、
モバイルデバイスに対して通信セッションをセットアップするよう要求するリクエストを受信する段階と、
第１のＩＰアドレスが割り当てられた第１のセッション接続は、インターネットプロトコル（ＩＰ）セッション連続性を維持するように設定し、第２のＩＰアドレスが割り当てられた第２のセッション接続は、ＩＰセッション連続性を維持しないように設定する段階と、
モビリティアンカーに前記第１のセッション接続に対するルーティングオーバーライドをセットアップするように要求する段階と、を備える、方法。
【請求項１８】
前記第１のＩＰアドレス及び前記第２のＩＰアドレスは、動的ホスト構成プロトコル(ＤＨＣＰ)サーバによって提供される複数のアドレスを備える、請求項１７に記載の方法。
【請求項１９】
前記モビリティマネージャは、モビリティ管理エンティティ（ＭＭＥ）を備え、前記モビリティアンカーは、パケットデータネットワーク（ＰＤＮ）ゲートウェイ（ＰＧＷ）を備え、前記モバイルデバイスはユーザ機器（ＵＥ）を備える、請求項１７に記載の方法。
【請求項２０】
前記第１のＩＰアドレスは第１ＰＤＮ接続のアドレスを備え、前記第２のＩＰアドレスは、第２ＰＤＮ接続のアドレスを備える、請求項１７から１９のいずれか一項に記載の方法。
【請求項２１】
前記第１ＰＤＮ接続は、第１ゲートウェイ（ＧＷ）で終了し、前記第２ＰＤＮ接続は第２ＧＷで終了する、請求項２０に記載の方法。
【請求項２２】
コンピュータ実行可能な複数の命令を備えるプログラムであって、少なくとも１つのコンピュータプロセッサによって実行される場合、
前記少なくとも１つのコンピュータプロセッサが、
無線ネットワークに通信セッションをセットアップするよう要求するセッションセットアップリクエストを送信する段階と、
前記セッションセットアップリクエストに応答して前記通信セッションに割り当てられた第１のインターネットプロトコル（ＩＰ）アドレス及び第２のＩＰアドレス、ならびに前記第１のＩＰアドレスがＩＰセッション連続性を維持するように構成されているという指示を有するセッションセットアップ応答を受信する段階と、
前記通信セッションに対しＩＰセッション連続性が維持されるべきである場合、前記第１のＩＰアドレスを前記通信セッションに対して使用することを選択する、または前記通信セッションに対してＩＰセッション連続性が維持されるべきでない場合、前記第２のＩＰアドレスを前記通信セッションに対して使用することを選択する段階と、
を備える方法をモバイルデバイスにおいて実装することを可能に動作可能なコンピュータ実行可能な複数の命令を備える、プログラム。
【請求項２３】
前記方法は、前記通信セッションの間に通信されるトラフィックの１または複数の属性に基づいて、前記第１のＩＰアドレスと前記第２のＩＰアドレスとの間で選択する段階を備える、請求項２２に記載のプログラム。
【請求項２４】
前記モバイルデバイスは、ユーザ機器（ＵＥ）を備え、前記送信する段階は、第１メッセージを介して前記セッションセットアップリクエストを進化型ノードＢ（ｅＮＢ）に送信する段階を備え、前記受信する段階は、第２メッセージを介してセッションセットアップ応答を前記ｅＮＢから受信する段階を備える、請求項２２に記載のプログラム。
【請求項２５】
前記第１のＩＰアドレスは、第１パケットデータネットワーク（ＰＤＮ）接続のアドレスを備え、第２のＩＰアドレスは、第２ＰＤＮ接続のアドレスを備える、請求項２２から２４のいずれか一項に記載のプログラム。
【請求項２６】
請求項２２から２５のいずれか一項に記載のプログラムを格納するコンピュータ可読媒体。
【国際調査報告】
2016530754.tif 000011
2016530754.tif 000012